(57)【要約】  本出願の実施例はリソーススケジューリング方法、端末装置とネットワーク装置に関する。該方法は、第一の端末装置がネットワーク装置から送信された指示情報とリソースグラント情報を受信し、該リソースグラント情報が、該ネットワーク装置によって該第一の端末装置に割り当てられたグラントリソースを示すことに用いられ、該指示情報が、該グラントリソースがターゲット論理チャネルに搬送されるデータの送信に用いられることを示すことに用いられることと、該第一の端末装置が該指示情報と該リソースグラント情報に基づき、該グラントリソースを用いて第二の端末装置へ該ターゲット論理チャネルに搬送されるデータを送信することとを含む。本出願の実施例のリソーススケジューリング方法、端末装置とネットワーク装置により、端末装置に特殊な応用場面における伝送リソースを柔軟に配置することができる。
2020533825.tif 000002
【特許請求の範囲】
【請求項１】
リソーススケジューリング方法であって、
第一の端末装置が、ネットワーク装置から送信された指示情報とリソースグラント情報を受信し、前記リソースグラント情報が、前記ネットワーク装置によって前記第一の端末装置に割り当てられたグラントリソースを示すことに用いられ、前記指示情報が、前記グラントリソースが前記ターゲット論理チャネルに搬送されるデータの送信に用いられることを示すことに用いられることと、
前記第一の端末装置が、前記指示情報と前記リソースグラント情報に基づき、前記グラントリソースを用いて第二の端末装置へ、前記ターゲット論理チャネルに搬送されるデータを送信することとを含む、前記ソーススケジューリング方法。
【請求項２】
前記指示情報は、前記グラントリソースが異なる論理チャネルに対応する同じデータベアラを送信することに用いられることを示し、前記グラントリソースは第一のグラントリソースと第二のグラントリソースを含み、前記ターゲット論理チャネルは第一の論理チャネルと第二の論理チャネルを含み、
前記第一の端末装置が、前記指示情報と前記リソースグラント情報に基づき、前記グラントリソースを用いて前記第二の端末装置へ、前記ターゲット論理チャネルに搬送されるデータを送信することは、
前記第一の端末装置が、前記第一のグラントリソースを用いて前記第二の端末装置へ前記第一の論理チャネルに搬送される第一のデータを送信することと、
前記第一の端末装置が、前記第二のグラントリソースを用いて前記第二の端末装置へ前記第二の論理チャネルに搬送される第二のデータを送信し、前記第一の論理チャネルと前記第二の論理チャネルが同じデータベアラに対応することとを含むことを特徴とする
請求項１に記載の方法。
【請求項３】
前記第一の端末装置が前記指示情報と前記リソースグラント情報に基づき、前記グラントリソースを用いて前記第二の端末装置へ、前記ターゲット論理チャネルに搬送されるデータを送信する前に、前記方法はさらに、
前記第一の端末装置が、前記第一のグラントリソースと前記第一の論理チャネルベアラとの第一の対応関係、及び前記第二のグラントリソースと前記第二の論理チャネルベアラとの第二の対応関係を確定することを含むことを特徴とする
請求項２に記載の方法。
【請求項４】
前記端末装置が前記第一の対応関係と前記第二の対応関係を確定することは、
前記第一の端末装置が、前記第一の論理チャネルと第一の搬送波との対応関係、及び前記第二の論理チャネルと第二の搬送波との対応関係を確定することと、
前記第一の端末装置が、前記ネットワーク装置から送信された第一の対応関係情報を受信することと、
前記第一の端末装置が、前記第一の対応関係情報に基づき、前記第一の搬送波と前記第一のグラントリソースとの対応関係及び前記第二の搬送波と第二のグラントリソースとの対応関係を確定することと、
前記第一の端末装置が、前記第一の論理チャネルと前記第一の搬送波との対応関係及び前記第一の搬送波と前記第一のグラントリソースとの対応関係に基づいて、前記第一の対応関係を確定することと、
前記第一の端末装置が、前記第二の論理チャネルと前記第二の搬送波との対応関係及び前記第二の搬送波と前記第二のグラントリソースとの対応関係に基づいて、前記第二の対応関係を確定することとを含むことを特徴とする
請求項３に記載の方法
【請求項５】
前記第一の端末装置が前記第一の論理チャネルと第一の搬送波との対応関係、及び前記第二の論理チャネルと第二の搬送波との対応関係を確定することは、
前記第一の端末装置が、前記ネットワーク装置から送信された第二の対応関係情報を受信することと、
前記第一の端末装置が、前記第二の対応関係情報に基づき、前記第一の論理チャネルと前記第一の搬送波との対応関係、及び前記第二の論理チャネルと前記第二の搬送波との対応関係を確定することとを含むことを特徴とする
請求項４に記載の方法。
【請求項６】
前記第二の対応関係情報は第一の論理チャネルグループと前記第一の搬送波との対応関係を含み、前記第一の論理チャネルグループがｎ個の論理チャネルを含み、前記ｎ個の論理チャネルが前記第一の論理チャネルを含み且つ前記第二の論理チャネルを含まなく、ｎが１より大きい正整数であり、及び／又は、
前記第二の対応関係情報は第二の論理チャネルグループと前記第二の搬送波との対応関係を含み、前記第二の論理チャネルグループがｍ個の論理チャネルを含み、前記ｍ個の論理チャネルが前記第二の論理チャネルを含み且つ前記第一の論理チャネルを含まなく、ｍが１より大きい正整数であることを特徴とする
請求項５に記載の方法。
【請求項７】
前記第一の端末装置が前記第一の論理チャネルと第一の搬送波との対応関係、及び前記第二の論理チャネルと第二の搬送波との対応関係を確定した後、前記方法はさらに、
前記第一の端末装置が、前記ネットワーク装置へ第三の対応関係情報を送信し、前記第三の対応関係情報が、前記ネットワーク装置が前記第一の論理チャネルと前記第一の搬送波との対応関係、及び前記第二の論理チャネルと前記第二の搬送波との対応関係を確定することに用いられることを含み、
前記第一の端末装置が前記ネットワーク装置から送信された第一の対応関係情報を受信することは、
前記第一の端末装置が、前記ネットワーク装置から送信された、第三の対応関係に基づいて確定された前記第一の対応関係情報を受信することを含むことを特徴とする
請求項４に記載の方法。
【請求項８】
前記第三の対応関係情報は第三の論理チャネルグループと前記第一の搬送波との対応関係を含み、前記第三の論理チャネルグループがｋ個の論理チャネルを含み、前記ｋ個の論理チャネルが前記第一の論理チャネルを含み且つ前記第二の論理チャネルを含まなく、ｋが１より大きい正整数であり、及び／又は、
前記第三の対応関係情報は第四の論理チャネルグループと前記第二の搬送波との対応関係を含み、前記第四の論理チャネルグループがＩ個の論理チャネルを含み、前記Ｉ個の論理チャネルが前記第二の論理チャネルを含み且つ前記第一の論理チャネルを含まなく、Ｉが１より大きい正整数であることを特徴とする請求項７に記載の方法。
【請求項９】
前記端末装置が前記第一の対応関係と前記第二の対応関係を確定することは、
前記第一の端末装置が、前記ネットワーク装置から送信された第四の対応関係情報を受信することと、
前記第一の端末装置が、前記第四の対応関係情報に基づき、前記第一の対応関係と前記第二の対応関係を確定することとを含むことを特徴とする
請求項３に記載の方法。
【請求項１０】
リソーススケジューリング方法であって、
ネットワーク装置が、第一の端末装置にグラントリソースを配置し、前記グラントリソースが、前記第一の端末装置が第二の端末装置へデータを送信することに用いられることと、
前記ネットワーク装置が前記第一の端末装置へリソースグラント情報と指示情報を送信し、前記リソースグラント情報が前記グラントリソースを示すことに用いられ、前記指示情報が、前記グラントリソースがターゲット論理チャネルに搬送されるデータの送信に用いられることを示すことに用いられることとを含む、前記リソーススケジューリング方法。
【請求項１１】
前記指示情報は、前記グラントリソースが異なる論理チャネルに対応する同じデータベアラを送信することに用いられることを示し、前記グラントリソースは第一のグラントリソースと第二のグラントリソースを含み、前記ターゲット論理チャネルは第一の論理チャネルと第二の論理チャネルを含み、
前記第一のグラントリソースが、前記第一の端末装置が前記第二の端末装置へ前記第一の論理チャネルに搬送される第一のデータを送信することに用いられ、前記第二のグラントリソースが、前記第一の端末装置が前記第二の端末装置へ前記第二の論理チャネルに搬送される第二のデータを送信することに用いられ、前記第一の論理チャネルと前記第二の論理チャネルが同じデータベアラに対応することを特徴とする
請求項１０に記載の方法。
【請求項１２】
前記方法はさらに、
前記ネットワーク装置が、前記第一の端末装置の前記第一の論理チャネルと第一の搬送波との対応関係、及び前記第二の論理チャネルと第二の搬送波との対応関係を確定することと、
前記ネットワーク装置が、前記第一の論理チャネルと前記第一の搬送波との対応関係、及び前記第二の論理チャネルと前記第二の搬送波との対応関係に基づいて、前記第一の搬送波と前記第一のグラントリソースとの対応関係及び前記第二の搬送波と第二のグラントリソースとの対応関係を確定することと、
前記ネットワーク装置が、前記第一の端末装置へ第一の対応関係情報を送信し、第一の対応関係情報が、前記第一の端末装置が前記第一の搬送波と前記第一のグラントリソースとの対応関係及び前記第二の搬送波と第二のグラントリソースとの対応関係を確定することに用いられることとを含むことを特徴とする
請求項１１に記載の方法。
【請求項１３】
前記ネットワーク装置が、前記第一の論理チャネルと前記第一の搬送波との対応関係、及び前記第二の論理チャネルと第二の搬送波との対応関係を確定した後、前記方法はさらに、
前記ネットワーク装置が、前記第一の端末装置へ第二の対応関係情報を送信し、前記第二の対応関係情報が、前記第一の端末装置が前記第一の論理チャネルと前記第一の搬送波との対応関係、及び前記第二の論理チャネルと前記第二の搬送波との対応関係を確定することに用いられることを含むことを特徴とする
請求項１２に記載の方法。
【請求項１４】
前記第二の対応関係情報は第一の論理チャネルグループと前記第一の搬送波との対応関係を含み、前記第一の論理チャネルグループがｎ個の論理チャネルを含み、前記ｎ個の論理チャネルが第一の論理チャネルを含み且つ前記第二の論理チャネルを含まなく、ｎが１より大きい正整数であり、及び／又は、
前記第二の対応関係情報は第二の論理チャネルグループと前記第二の搬送波との対応関係を含み、前記第二の論理チャネルグループがｍ個の論理チャネルを含み、前記ｍ個の論理チャネルが第二の論理チャネルを含み且つ第一の論理チャネルを含まなく、ｍが１より大きい正整数であることを特徴とする
請求項１３に記載の方法。
【請求項１５】
前記ネットワーク装置が前記第一の端末装置の前記第一の論理チャネルと第一の搬送波との対応関係、及び前記第二の論理チャネルと第二の搬送波との対応関係を確定することは、
前記ネットワーク装置が、前記第一の端末装置から送信された第三の対応関係情報を受信することと、
前記ネットワーク装置が、前記第三の対応関係情報に基づき、前記第一の論理チャネルと前記第一の搬送波との対応関係、及び前記第二の論理チャネルと前記第二の搬送波との対応関係を確定することとを含むことを特徴とする
請求項１２に記載の方法。
【請求項１６】
前記第三の対応関係情報は第三の論理チャネルグループと前記第一の搬送波との対応関係を含み、前記第三の論理チャネルグループがｋ個の論理チャネルを含み、前記ｋ個の論理チャネルが第一の論理チャネルを含み且つ前記第二の論理チャネルを含まなく、ｋが１より大きい正整数であり、及び／又は、
前記第三の対応関係情報は第四の論理チャネルグループと前記第二の搬送波との対応関係を含み、前記第四の論理チャネルグループがＩ個の論理チャネルを含み、前記Ｉ個の論理チャネルが第二の論理チャネルを含み且つ第一の論理チャネルを含まなく、Ｉが１より大きい正整数であることを特徴とする
請求項１５に記載の方法。
【請求項１７】
前記方法はさらに、
前記ネットワーク装置が、前記第一の端末装置へ第四の対応関係情報を送信し、前記第四の対応関係情報が、前記第一の論理チャネルと前記第一のグラントリソースとの対応関係及び前記第二の論理チャネルと前記第二のグラントリソースとの対応関係を含むことを含むことを特徴とする
請求項１１に記載の方法。
【請求項１８】
リソーススケジューリング方法であって、
第一の端末装置が、ネットワーク装置から送信された第一の対応関係情報とリソースグラント情報を受信し、前記リソースグラント情報が、前記ネットワーク装置によって前記第一の端末装置に割り当てられたグラントリソースを示すことに用いられることと、
前記第一の端末装置が、前記第一の対応関係情報に基づき、前記グラントリソースが特定の伝送時間間隔（ＴＴＩ）に基づいてデータを伝送するためのリソースであることを確定することと、
前記第一の端末装置が、前記特定ＴＴＩに対応するターゲット論理チャネルを確定することと、
前記第一の端末装置が、前記グラントリソースを用いて前記第二の端末装置へ、前記ターゲット論理チャネルに搬送されるデータを送信することとを含む、前記リソーススケジューリング方法。
【請求項１９】
前記第一の端末装置が前記特定ＴＴＩに対応するターゲット論理チャネルを確定する前に、前記方法はさらに、
前記第一の端末装置が、前記ターゲット論理チャネルと前記特定ＴＴＩとの対応関係を確定することを含むことを特徴とする
請求項１８に記載の方法。
【請求項２０】
前記第一の端末装置が前記ターゲット論理チャネルと前記特定ＴＴＩとの対応関係を確定することは、
前記第一の端末装置が、前記ネットワーク装置から送信された第二の対応関係情報を受信することと、
前記端末装置が、前記第二の対応関係情報に基づき、前記ターゲット論理チャネルと前記特定ＴＴＩとの対応関係を確定することとを含むことを特徴とする
請求項１９に記載の方法。
【請求項２１】
前記第二の対応関係情報は、少なくとも一つの論理チャネルグループと前記特定ＴＴＩとの対応関係を含み、前記少なくとも一つの論理チャネルグループ内の各論理チャネルグループが複数の論理チャネルを含むことを特徴とする
請求項２０に記載の方法。
【請求項２２】
前記第一の端末装置が前記ターゲット論理チャネルと前記特定ＴＴＩとの対応関係を確定した後、前記方法はさらに、
前記第一の端末装置が、前記ネットワーク装置へ第三の対応関係情報を送信し、前記第三の対応関係情報が、ネットワーク装置が前記ターゲット論理チャネルと前記特定ＴＴＩとの対応関係及び前記第一の対応関係情報を確定することに用いられることを含むことを特徴とする
請求項１９に記載の方法。
【請求項２３】
前記第三の対応関係情報は、少なくとも一つの論理チャネルグループと前記特定ＴＴＩとの対応関係を含み、前記少なくとも一つの論理チャネルグループ内の各論理チャネルグループが複数の論理チャネルを含み、前記複数の論理チャネルが同じＴＴＩに対応することを特徴とする
請求項２２に記載の方法。
【請求項２４】
前記特定ＴＴＩの長さが１ｍｓ未満であることを特徴とする
請求項１８−２３のいずれか一項に記載の方法。
【請求項２５】
リソーススケジューリング方法であって、
ネットワーク装置が、第一の端末装置にグラントリソースを配置し、前記グラントリソースが特定の伝送時間間隔（ＴＴＩ）に基づいてデータを伝送するためのリソースであることと、
前記ネットワーク装置が、前記第一の端末装置へリソースグラント情報と第一の対応関係情報を送信し、前記リソースグラント情報が前記グラントリソースを示すことに用いられ、前記第一の対応関係情報が、前記第一の端末装置が前記特定ＴＴＩに対応するターゲット論理チャネルを確定することに用いられ、前記グラントリソースが、前記第一の端末装置が第二の端末装置へ、前記ターゲット論理チャネルに搬送されるデータを送信することに用いられることとを含む、前記リソーススケジューリング方法。
【請求項２６】
前記方法はさらに、
前記ネットワーク装置が、前記ターゲット論理チャネルと前記特定ＴＴＩとの対応関係を確定することを含み、
前記ネットワーク装置が第一の端末装置にグラントリソースに配置することは、
前記ネットワーク装置が、前記ターゲット論理チャネルと前記特定ＴＴＩとの対応関係に基づいて、前記端末装置に前記グラントリソースを配置することを含むことを特徴とする
請求項２５に記載の方法。
【請求項２７】
前記ネットワーク装置が前記ターゲット論理チャネルと前記特定ＴＴＩとの対応関係を確定した後、前記方法はさらに、
前記ネットワーク装置が、前記第一の端末装置へ第二の対応関係情報を送信し、前記第二の対応関係情報が、前記第一の端末装置が前記ターゲット論理チャネルと前記特定ＴＴＩとの対応関係を確定することに用いられることを含むことを特徴とする
請求項２６に記載の方法。
【請求項２８】
前記第二の対応関係情報は、少なくとも一つの論理チャネルグループと前記特定ＴＴＩとの対応関係を含み、前記少なくとも一つの論理チャネルグループ内の各論理チャネルグループが複数の論理チャネルを含むことを特徴とする
請求項２７に記載の方法。
【請求項２９】
前記ネットワーク装置が前記ターゲット論理チャネルと前記特定ＴＴＩとの対応関係を確定することは、
前記ネットワーク装置が前記第一の端末装置から送信された第三の対応関係情報を受信することと、
前記ネットワーク装置が前記第三の対応関係情報に基づき、前記ターゲット論理チャネルと前記特定ＴＴＩとの対応関係を確定することとを含むことを特徴とする
請求項２６に記載の方法。
【請求項３０】
前記第三の対応関係情報は、少なくとも一つの論理チャネルグループと前記特定ＴＴＩとの対応関係を含み、前記少なくとも一つの論理チャネルグループ内の各論理チャネルグループが複数の論理チャネルを含むことを特徴とする
請求項２９に記載の方法。
【請求項３１】
前記特定ＴＴＩの長さが１ｍｓ未満であることを特徴とする
請求項２５−３０のいずれか一項に記載の方法。
【請求項３２】
端末装置であって、
ネットワーク装置から送信された指示情報とリソースグラント情報を受信するように構成され、前記リソースグラント情報が、前記ネットワーク装置によって前記端末装置に割り当てられたグラントリソースを示すことに用いられ、前記指示情報が、前記グラントリソースがターゲット論理チャネルに搬送されるデータの送信に用いられることを示すことに用いられる受信ユニットと、
前記指示情報と前記リソースグラント情報に基づき、前記グラントリソースを用いて第二の端末装置へ、前記ターゲット論理チャネルに搬送されるデータを送信するように構成される送信ユニットとを備える、前記端末装置。
【請求項３３】
前記指示情報は、前記グラントリソースが異なる論理チャネルに対応する同じデータベアラを送信することに用いられることを示し、前記グラントリソースは第一のグラントリソースと第二のグラントリソースを含み、前記ターゲット論理チャネルは第一の論理チャネルと第二の論理チャネルを含み、
前記送信ユニットは具体的に、
前記第一のグラントリソースを用いて前記第二の端末装置へ前記第一の論理チャネルに搬送される第一のデータを送信し、
前記第二のグラントリソースを用いて前記第二の端末装置へ前記第二の論理チャネルに搬送される第二のデータを送信するように構成され、前記第一の論理チャネルと前記第二の論理チャネルが同じデータベアラに対応することを特徴とする
請求項３２に記載の端末装置。
【請求項３４】
前記端末装置はさらに、
前記送信ユニットが前記指示情報と前記リソースグラント情報に基づき、前記グラントリソースを用いて前記第二の端末装置へ、前記ターゲット論理チャネルに搬送されるデータを送信する前に、前記第一のグラントリソースと前記第一の論理チャネルベアラとの第一の対応関係、及び前記第二のグラントリソースと前記第二の論理チャネルベアラとの第二の対応関係を確定するように構成される確定ユニットを備えることを特徴とする
請求項３３に記載の端末装置。
【請求項３５】
前記確定ユニットは具体的に、
前記第一の論理チャネルと第一の搬送波との対応関係、及び前記第二の論理チャネルと第二の搬送波との対応関係を確定するように構成され、
前記受信ユニットは具体的に、
前記ネットワーク装置から送信された第一の対応関係情報を受信するように構成され、
前記確定ユニットは具体的に、
前記第一の対応関係情報に基づき、前記第一の搬送波と前記第一のグラントリソースとの対応関係及び前記第二の搬送波と第二のグラントリソースとの対応関係を確定し、
前記第一の論理チャネルと前記第一の搬送波との対応関係及び前記第一の搬送波と前記第一のグラントリソースとの対応関係に基づいて、前記第一の対応関係を確定し、
前記第二の論理チャネルと前記第二の搬送波との対応関係及び前記第二の搬送波と前記第二のグラントリソースとの対応関係に基づいて、前記第二の対応関係を確定するように構成されることを特徴とする
請求項３４に記載の端末装置。
【請求項３６】
前記受信ユニットは具体的に、
前記ネットワーク装置から送信された第二の対応関係情報を受信するように構成され、
前記確定ユニットは具体的に、
前記第二の対応関係情報に基づき、前記第一の論理チャネルと前記第一の搬送波との対応関係、及び前記第二の論理チャネルと前記第二の搬送波との対応関係を確定するように構成されることを特徴とする
請求項３５に記載の端末装置。
【請求項３７】
前記第二の対応関係情報は第一の論理チャネルグループと前記第一の搬送波との対応関係を含み、前記第一の論理チャネルグループがｎ個の論理チャネルを含み、前記ｎ個の論理チャネルが前記第一の論理チャネルを含み且つ前記第二の論理チャネルを含まなく、ｎが１より大きい正整数であり、及び／又は、
前記第二の対応関係情報は第二の論理チャネルグループと前記第二の搬送波との対応関係を含み、前記第二の論理チャネルグループがｍ個の論理チャネルを含み、前記ｍ個の論理チャネルが前記第二の論理チャネルを含み且つ前記第一の論理チャネルを含まなく、ｍが１より大きい正整数であることを特徴とする
請求項３６に記載の端末装置。
【請求項３８】
前記送信ユニットは具体的に、
前記確定ユニットが前記第一の論理チャネルと第一の搬送波との対応関係、及び前記第二の論理チャネルと第二の搬送波との対応関係を確定した後、前記ネットワーク装置へ第三の対応関係情報を送信するように構成され、前記第三の対応関係情報が、前記ネットワーク装置が前記第一の論理チャネルと前記第一の搬送波との対応関係、及び前記第二の論理チャネルと前記第二の搬送波との対応関係を確定することに用いられ、
前記受信ユニットは具体的に、
前記ネットワーク装置から送信された、前記第三の対応関係に基づいて確定された前記第一の対応関係情報を受信するように構成されることを特徴とする
請求項３５に記載の端末装置。
【請求項３９】
前記第三の対応関係情報は第三の論理チャネルグループと前記第一の搬送波との対応関係を含み、前記第三の論理チャネルグループがｋ個の論理チャネルを含み、前記ｋ個の論理チャネルが前記第一の論理チャネルを含み且つ前記第二の論理チャネルを含まなく、ｋが１より大きい正整数であり、及び／又は、
前記第三の対応関係情報は第四の論理チャネルグループと前記第二の搬送波との対応関係を含み、前記第四の論理チャネルグループがＩ個の論理チャネルを含み、前記Ｉ個の論理チャネルが前記第二の論理チャネルを含み且つ前記第一の論理チャネルを含まなく、Ｉが１より大きい正整数であることを特徴とする
請求項３８に記載の端末装置。
【請求項４０】
前記確定ユニットは具体的に、
前記ネットワーク装置から送信された第四の対応関係情報を受信し、
前記第四の対応関係情報に基づき、前記第一の対応関係と前記第二の対応関係を確定するように構成されることを特徴とする
請求項３４に記載の端末装置。
【請求項４１】
ネットワーク装置であって、
第一の端末装置にグラントリソースを配置するように構成され、前記グラントリソースが、前記第一の端末装置が第二の端末装置へデータを送信することに用いられる処理ユニットと、
前記第一の端末装置へリソースグラント情報と指示情報を送信するように構成され、前記リソースグラント情報が前記グラントリソースを示すことに用いられ、前記指示情報が、前記グラントリソースがターゲット論理チャネルに搬送されるデータの送信に用いられることを示すことに用いられる送信ユニットとを備える、前記ネットワーク装置。
【請求項４２】
前記指示情報は、前記グラントリソースが異なる論理チャネルに対応する同じデータベアラを送信することに用いられることを示し、前記グラントリソースは第一のグラントリソースと第二のグラントリソースを含み、前記ターゲット論理チャネルは第一の論理チャネルと第二の論理チャネルを含み、
前記第一のグラントリソースが、前記第一の端末装置が前記第二の端末装置へ前記第一の論理チャネルに搬送される第一のデータを送信することに用いられ、前記第二のグラントリソースが、前記第一の端末装置が前記第二の端末装置へ前記第二の論理チャネルに搬送される第二のデータを送信することに用いられ、前記第一の論理チャネルと前記第二の論理チャネルが同じデータベアラに対応することを特徴とする
請求項４１に記載のネットワーク装置。
【請求項４３】
前記処理ユニットは具体的に、
前記第一の端末装置の前記第一の論理チャネルと第一の搬送波との対応関係、及び前記第二の論理チャネルと第二の搬送波との対応関係を確定し、
前記第一の論理チャネルと前記第一の搬送波との対応関係、及び前記第二の論理チャネルと前記第二の搬送波との対応関係に基づいて、前記第一の搬送波と前記第一のグラントリソースとの対応関係及び前記第二の搬送波と第二のグラントリソースとの対応関係を確定するように構成され、
前記送信ユニットは具体的に、
前記第一の端末装置へ第一の対応関係情報を送信するように構成され、第一の対応関係情報が、前記第一の端末装置が前記第一の搬送波と前記第一のグラントリソースとの対応関係及び前記第二の搬送波と第二のグラントリソースとの対応関係を確定することに用いられることを特徴とする
請求項４２に記載のネットワーク装置。
【請求項４４】
前記送信ユニットは具体的に、
前記処理ユニットが前記第一の論理チャネルと前記第一の搬送波との対応関係、及び前記第二の論理チャネルと前記第二の搬送波との対応関係を確定した後、前記第一の端末装置へ第二の対応関係情報を送信するように構成され、前記第二の対応関係情報が、前記第一の端末装置が前記第一の論理チャネルと前記第一の搬送波との対応関係、及び前記第二の論理チャネルと前記第二の搬送波との対応関係を確定することに用いられることを特徴とする
請求項４３に記載のネットワーク装置。
【請求項４５】
前記第二の対応関係情報は第一の論理チャネルグループと前記第一の搬送波との対応関係を含み、前記第一の論理チャネルグループがｎ個の論理チャネルを含み、前記ｎ個の論理チャネルが第一の論理チャネルを含み且つ前記第二の論理チャネルを含まなく、ｎが１より大きい正整数であり、及び／又は、
前記第二の対応関係情報は第二の論理チャネルグループと前記第二の搬送波との対応関係を含み、前記第二の論理チャネルグループがｍ個の論理チャネルを含み、前記ｍ個の論理チャネルが第二の論理チャネルを含み且つ第一の論理チャネルを含まなく、ｍが１より大きい正整数であることを特徴とする
請求項４４に記載のネットワーク装置。
【請求項４６】
前記ネットワーク装置はさらに、
前記第一の端末装置から送信された第三の対応関係情報を受信するように構成される受信ユニットを備え、
前記処理ユニットは具体的に、
前記第三の対応関係情報に基づき、前記第一の論理チャネルと前記第一の搬送波との対応関係、及び前記第二の論理チャネルと前記第二の搬送波との対応関係を確定するように構成されることを特徴とする
請求項４３に記載のネットワーク装置。
【請求項４７】
前記第三の対応関係情報は第三の論理チャネルグループと前記第一の搬送波との対応関係を含み、前記第三の論理チャネルグループがｋ個の論理チャネルを含み、前記ｋ個の論理チャネルが第一の論理チャネルを含み且つ前記第二の論理チャネルを含まなく、ｋが１より大きい正整数であり、及び／又は、
前記第三の対応関係情報は第四の論理チャネルグループと前記第二の搬送波との対応関係を含み、前記第四の論理チャネルグループがＩ個の論理チャネルを含み、前記Ｉ個の論理チャネルが第二の論理チャネルを含み且つ第一の論理チャネルを含まなく、Ｉが１より大きい正整数であることを特徴とする
請求項４６に記載のネットワーク装置。
【請求項４８】
前記送信ユニットは具体的に、
前記第一の端末装置へ第四の対応関係情報を送信するように構成され、前記第四の対応関係情報が、前記第一の論理チャネルと前記第一のグラントリソースとの対応関係及び前記第二の論理チャネルと前記第二のグラントリソースとの対応関係を含むことを特徴とする
請求項４２に記載のネットワーク装置。
【請求項４９】
端末装置であって、
ネットワーク装置から送信された第一の対応関係情報とリソースグラント情報を受信するように構成され、前記リソースグラント情報が、前記ネットワーク装置によって前記端末装置に割り当てられたグラントリソースを示すことに用いられる受信ユニットと、
前記第一の対応関係情報に基づき、前記グラントリソースが特定の伝送時間間隔（ＴＴＩ）に基づいてデータを伝送するためのリソースであることを確定するように構成され、
さらに前記特定ＴＴＩに対応するターゲット論理チャネルを確定するように構成される確定ユニットと、
前記グラントリソースを用いて前記第二の端末装置へ、前記ターゲット論理チャネルに搬送されるデータを送信するように構成される送信ユニットとを備える、前記端末装置。
【請求項５０】
前記確定ユニットは具体的に、
前記特定ＴＴＩに対応するターゲット論理チャネルを確定する前に、前記ターゲット論理チャネルと前記特定ＴＴＩとの対応関係を確定するように構成されることを特徴とする
請求項４９に記載端末装置。
【請求項５１】
前記受信ユニットは具体的に、
前記ネットワーク装置から送信された第二の対応関係情報を受信するように構成され、
前記確定ユニットは具体的に、
前記第二の対応関係情報に基づき、前記ターゲット論理チャネルと前記特定ＴＴＩとの対応関係を確定するように構成されることを特徴とする
請求項５０に記載の端末装置。
【請求項５２】
前記第二の対応関係情報は、少なくとも一つの論理チャネルグループと前記特定ＴＴＩとの対応関係を含み、前記少なくとも一つの論理チャネルグループ内の各論理チャネルグループが複数の論理チャネルを含むことを特徴とする
請求項５１に記載の端末装置。
【請求項５３】
前記送信ユニットは具体的に、
前記確定ユニットが前記ターゲット論理チャネルと前記特定ＴＴＩとの対応関係を確定した後、前記ネットワーク装置へ第三の対応関係情報を送信するように構成され、前記第三の対応関係情報が、ネットワーク装置が前記ターゲット論理チャネルと前記特定ＴＴＩとの対応関係及び前記第一の対応関係情報を確定することに用いられることを特徴とする
請求項５０に記載の端末装置。
【請求項５４】
前記第三の対応関係情報は、少なくとも一つの論理チャネルグループと前記特定ＴＴＩとの対応関係を含み、前記少なくとも一つの論理チャネルグループ内の各論理チャネルグループが複数の論理チャネルを含み、前記複数の論理チャネルが同じＴＴＩに対応することを特徴とする
請求項５３に記載の端末装置。
【請求項５５】
前記特定ＴＴＩの長さが１ｍｓ未満であることを特徴とする
請求項４９−５４のいずれか一項に記載の端末装置。
【請求項５６】
ネットワーク装置であって、
第一の端末装置にグラントリソースを配置するように構成され、前記グラントリソースが特定の伝送時間間隔（ＴＴＩ）に基づいてデータを伝送するためのリソースである処理ユニットと、
前記第一の端末装置へリソースグラント情報と第一の対応関係情報を送信するように構成され、前記リソースグラント情報が前記グラントリソースを示すことに用いられ、前記第一の対応関係情報が、前記第一の端末装置が前記特定ＴＴＩに対応するターゲット論理チャネルを確定することに用いられ、前記グラントリソースが、前記第一の端末装置が第二の端末装置へ、前記ターゲット論理チャネルに搬送されるデータを送信することに用いられる送信ユニットとを備える、前記ネットワーク装置。
【請求項５７】
前記処理ユニットは具体的に、
前記ターゲット論理チャネルと前記特定ＴＴＩとの対応関係を確定し、
前記ターゲット論理チャネルと前記特定ＴＴＩとの対応関係に基づいて、前記端末装置に前記グラントリソースを配置するように構成されることを特徴とする
請求項５６に記載のネットワーク装置。
【請求項５８】
前記送信ユニットは具体的に、
前記処理ユニットが前記ターゲット論理チャネルと前記特定ＴＴＩとの対応関係を確定した後、前記第一の端末装置へ第二の対応関係情報を送信するように構成され、前記第二の対応関係情報が、前記第一の端末装置が前記ターゲット論理チャネルと前記特定ＴＴＩとの対応関係を確定することに用いられることを特徴とする
請求項５７に記載のネットワーク装置。
【請求項５９】
前記第二の対応関係情報は、少なくとも一つの論理チャネルグループと前記特定ＴＴＩとの対応関係を含み、前記少なくとも一つの論理チャネルグループ内の各論理チャネルグループが複数の論理チャネルを含むことを特徴とする
請求項５８に記載のネットワーク装置。
【請求項６０】
前記ネットワーク装置はさらに、
前記第一の端末装置から送信された第三の対応関係情報を受信するように構成される受信ユニットを備え、
前記処理ユニットは具体的に、
前記第三の対応関係情報に基づき、前記ターゲット論理チャネルと前記特定ＴＴＩとの対応関係を確定するように構成されることを特徴とする
請求項５７に記載のネットワーク装置。
【請求項６１】
前記第三の対応関係情報は、少なくとも一つの論理チャネルグループと前記特定ＴＴＩとの対応関係を含み、前記少なくとも一つの論理チャネルグループ内の各論理チャネルグループが複数の論理チャネルを含むことを特徴とする
請求項６０に記載のネットワーク装置。
【請求項６２】
前記特定ＴＴＩの長さが１ｍｓ未満であることを特徴とする
請求項５６−６１のいずれか一項に記載のネットワーク装置。
【発明の詳細な説明】
【技術分野】
【０００１】
本出願は通信分野に関し、特にリソーススケジューリング方法、端末装置とネットワーク装置に関する。
【背景技術】
【０００２】
カーインターネットシステムは、長期進化（ＬＴＥ：Ｌｏｎｇ  Ｔｅｒｍ  Ｅｖｏｌｕｔｉｏｎ）に基づく端末から端末へ（Ｄ２Ｄ：Ｄｅｖｉｃｅ  ｔｏ  Ｄｅｖｉｃｅ）のサイドリンク（ＳＬ：ｓｉｄｅ  ｌｉｎｋ）伝送技術であり、従来のＬＴＥシステムにおける通信データが基地局を介して受信又は送信される方式と異なり、カーインターネットシステムは、端末から端末への直接通信の方式を用い、したがって、より高いスペクトル効率及びより低い伝送遅延を有する。
【０００３】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のリリース（Ｒｅｌｅａｓｅ）１４（Ｒｅｌ−１４）において、カーインターネット技術に対して標準化され、モード３とモード４の２つのモードを定義されている。ここで、モード３では、車載端末の伝送リソースは基地局によって割り当てられ、車載端末は基地局によって割り当てられたリソースに基づき、サイドリンクで他の車載端末とデータの送信を行い、しかも基地局は、一回の伝送されたリソースを端末に割り当ててもよく、半静的に送信されたリソースを端末に割り当ててもよい。
【０００４】
キャリアアグリゲーション（ＣＡ：ｃａｒｒｉｅｒ  ａｇｇｒｅｇａｔｉｏｎ）シーンにおいて、端末装置は、データ複製伝送（ｄａｔａ  ｄｕｐｌｉｃａｔｉｏｎ）をサポートし、パケットデータコンバージェンスプロトコル（ＰＤＣＰ：ｐａｃｋｅｔ  ｄａｔａ  ｃｏｎｖｅｒｇｅｎｃｅ  ｐｒｏｔｏｃｏｌ）のデータ複製機能を使用し、複製されたＰＤＣＰプロトコルデータユニット（ＰＤＵ：ｐｒｏｔｏｃｏｌ  ｄａｔａ  ｕｎｉｔ）がそれぞれ２つの無線リンク層制御（ＲＬＣ：ｒａｄｉｏ  ｌｉｎｋ  ｃｏｎｔｒｏｌ）エンティティに伝送されるようにし、即ち、２つの異なる論理チャネルに対応しており、最終的に、複製されたＰＤＣＰ  ＰＤＵが異なる物理層アグリゲーションキャリアで伝送されることができることを保証し、これにより、周波数ダイバーシティゲインを達成してデータ伝送の信頼性を向上させる。
【０００５】
また、いくつかの特定のサービスに対して、端末装置は短い伝送時間間隔（ｓＴＴＩ：ｓｈｏｒｔ  ｔｒａｎｓｍｉｓｓｉｏｎ  ｔｉｍｅ  ｉｎｔｅｒｖａｌ）で伝送することができ、例えばｓＴＴＩが０．５ｍｓであってもよく、即ち端末装置が０．５ｍｓのリソースを用いて送信することを示し、従来の１ｍｓのリソースに対して、０．５ｍｓのリソース粒度により、遅延性能が向上する。
【０００６】
しかしながら、上記ＣＡシーンに対して、又はｓＴＴＩを有するサービスデータ伝送のシーンに対して、従来技術において基地局が伝送リソースを配置するプロセスが定義されない。
【発明の概要】
【発明が解決しようとする課題】
【０００７】
本出願は、端末装置に特殊な応用場面における伝送リソースを柔軟に配置することができる、リソーススケジューリング方法、端末装置とネットワーク装置を提供する。
【課題を解決するための手段】
【０００８】
第一の態様によるリソーススケジューリング方法は、第一の端末装置がネットワーク装置から送信された指示情報とリソースグラント情報を受信し、該リソースグラント情報が、該ネットワーク装置によって該第一の端末装置に割り当てられたグラントリソースを示すことに用いられ、該指示情報が、該グラントリソースがターゲット論理チャネルに搬送されるデータの送信に用いられることを示すことに用いられることと、該第一の端末装置が該指示情報と該リソースグラント情報に基づき、該グラントリソースを用いて第二の端末装置へ該ターゲット論理チャネルに搬送されるデータを送信することとを含む。
【０００９】
したがって、本出願の実施例のリソーススケジューリング方法では、端末装置はネットワーク装置から送信された指示情報及びグラントリソースを受信し、複製データの伝送に利用可能なグラントリソースを確定し、該グラントリソースを用いて他の端末装置へ複製データを伝送することで、ＣＡシーンにおける複製データの伝送のためのリソース割り当てを実現する。
【００１０】
第一の態様と組み合わせ、第一の態様の一つの実施形態では、該指示情報は、該グラントリソースが異なる論理チャネルに対応する同じデータベアラを送信することに用いられることを示し、該グラントリソースが第一のグラントリソースと第二のグラントリソースを含み、前記ターゲット論理チャネルは第一の論理チャネルと第二の論理チャネルを含み、該第一の端末装置が該指示情報と該リソースグラント情報に基づき、該グラントリソースを用いて該第二の端末装置へターゲット論理チャネルに搬送されるデータを送信することは、該第一の端末装置が該第一のグラントリソースを用いて該第二の端末装置へ第一の論理チャネルに搬送される第一のデータを送信することと、該第一の端末装置が該第二のグラントリソースを用いて該第二の端末装置へ第二の論理チャネルに搬送される第二のデータを送信し、該第一の論理チャネルと該第二の論理チャネルが同じデータベアラに対応することとを含む。
【００１１】
第一の態様及びその上記実施形態と組み合わせ、第一の態様の別の実施形態では、該第一の端末装置が該指示情報と該リソースグラント情報に基づき、該グラントリソースを用いて該第二の端末装置へ該ターゲット論理チャネルに搬送されるデータを送信する前に、該方法はさらに該第一の端末装置が該第一のグラントリソースと該第一の論理チャネルベアラとの第一の対応関係、及び該第二のグラントリソースと該第二の論理チャネルベアラとの第二の対応関係を確定することを含む。
【００１２】
第一の態様及びその上記実施形態と組み合わせ、第一の態様の別の実施形態では、該端末装置が該第一の対応関係と該第二の対応関係を確定することは、該第一の端末装置が該第一の論理チャネルと第一の搬送波との対応関係、及び該第二の論理チャネルと第二の搬送波との対応関係を確定することと、該第一の端末装置が該ネットワーク装置から送信された第一の対応関係情報を受信することと、該第一の端末装置が該第一の対応関係情報に基づき、該第一の搬送波と該第一のグラントリソースとの対応関係及び該第二の搬送波と第二のグラントリソースとの対応関係を確定することと、該第一の端末装置が該第一の論理チャネルと該第一の搬送波との対応関係及び該第一の搬送波と該第一のグラントリソースとの対応関係に基づいて、該第一の対応関係を確定することと、該第一の端末装置が該第二の論理チャネルと該第二の搬送波との対応関係及び該第二の搬送波と該第二のグラントリソースとの対応関係に基づいて、該第二の対応関係を確定することとを含む。
【００１３】
選択可能に、該第一の対応関係情報は該リソースグラント情報を含む。
【００１４】
第一の態様及びその上記実施形態と組み合わせ、第一の態様の別の実施形態では、該第一の端末装置が該第一の論理チャネルと第一の搬送波との対応関係、及び該第二の論理チャネルと第二の搬送波との対応関係を確定することは、該第一の端末装置が該ネットワーク装置から送信された第二の対応関係情報を受信することと、該第一の端末装置が該第二の対応関係情報に基づき、該第一の論理チャネルと該第一の搬送波との対応関係、及び該第二の論理チャネルと該第二の搬送波との対応関係を確定することとを含む。
【００１５】
第一の態様及びその上記実施形態と組み合わせ、第一の態様の別の実施形態では、該第二の対応関係情報は第一の論理チャネルグループと該第一の搬送波との対応関係を含み、該第一の論理チャネルグループがｎ個の論理チャネルを含み、該ｎ個の論理チャネルが該第一の論理チャネルを含み且つ該第二の論理チャネルを含まなく、ｎが１より大きい正整数であり、及び／又は、該第二の対応関係情報は第二の論理チャネルグループと該第二の搬送波との対応関係を含み、該第二の論理チャネルグループがｍ個の論理チャネルを含み、該ｍ個の論理チャネルが該第二の論理チャネルを含み且つ該第一の論理チャネルを含まなく、ｍが１より大きい正整数である。
【００１６】
選択可能に、該第二の対応関係情報は、無線リソース制御（ＲＲＣ）シグナリング、媒体アクセス制御層制御要素（ＭＡＣ  ＣＥ）又はダウンリンク制御情報（ＤＣＩ）である。
【００１７】
第一の態様及びその上記実施形態と組み合わせ、第一の態様の別の実施形態では、該第一の端末装置が該第一の論理チャネルと第一の搬送波との対応関係、及び該第二の論理チャネルと第二の搬送波との対応関係を確定した後、該方法はさらに該第一の端末装置が該ネットワーク装置へ第三の対応関係情報を送信し、該第三の対応関係情報が、該ネットワーク装置が該第一の論理チャネルと該第一の搬送波との対応関係、及び該第二の論理チャネルと該第二の搬送波との対応関係を確定することに用いられることを含み、該第一の端末装置が該ネットワーク装置から送信された第一の対応関係情報を受信することは、該第一の端末装置が該ネットワーク装置から送信された、該第三の対応関係に基づいて確定された該第一の対応関係情報を受信することを含む。
【００１８】
第一の態様及びその上記実施形態と組み合わせ、第一の態様の別の実施形態では、該第三の対応関係情報は第三の論理チャネルグループと該第一の搬送波との対応関係を含み、該第三の論理チャネルグループがｋ個の論理チャネルを含み、該ｋ個の論理チャネルが該第一の論理チャネルを含み且つ該第二の論理チャネルを含まなく、ｋが１より大きい正整数であり、及び／又は、該第三の対応関係情報は第四の論理チャネルグループと該第二の搬送波との対応関係を含み、該第四の論理チャネルグループがＩ個の論理チャネルを含み、該Ｉ個の論理チャネルが該第二の論理チャネルを含み且つ該第一の論理チャネルを含まなく、Ｉが１より大きい正整数である。
【００１９】
選択可能に、該第三の対応関係情報はＲＲＣシグナリング、ＭＡＣ  ＣＥ又はＤＣＩである。
【００２０】
第一の態様及びその上記実施形態と組み合わせ、第一の態様の別の実施形態では、該端末装置が該第一の対応関係及び該第二の対応関係を確定することは、該第一の端末装置が該ネットワーク装置から送信された第四の対応関係情報を受信することと、該第一の端末装置が該第四の対応関係情報に基づき、該第一の対応関係と該第二の対応関係を確定することとを含む。
【００２１】
選択可能に、該第四の対応関係情報は該リソースグラント情報を含む。
【００２２】
したがって、本出願の実施例のリソーススケジューリング方法では、端末装置はネットワーク装置から送信された指示情報及びグラントリソースを受信し、複製データの伝送に利用可能なグラントリソースを確定し、該グラントリソースを用いて他の端末装置へ複製データを伝送することで、ＣＡシーンにおける複製データの伝送のためのリソース割り当てを実現する。
【００２３】
第二の態様によるリソーススケジューリング方法は、ネットワーク装置が第一の端末装置にグラントリソースを配置し、該グラントリソースが、該第一の端末装置が第二の端末装置へデータを送信することに用いられることと、該ネットワーク装置が該第一の端末装置へリソースグラント情報と指示情報を送信し、該リソースグラント情報が該グラントリソースを示すことに用いられ、該指示情報が、該グラントリソースがターゲット論理チャネルに搬送されるデータの送信に用いられることを示すことに用いられることとを含む。
【００２４】
したがって、本出願の実施例のリソーススケジューリング方法では、ネットワーク装置は端末装置へ指示情報及びグラントリソースを送信し、これにより、端末装置は、複製データを伝送するためのグラントリソースを確定し、該グラントリソースを用いて他の端末装置へ複製データを伝送することができ、それによってＣＡシーンにおける複製データの伝送のためのリソース割り当てを実現する。
【００２５】
第二の態様と組み合わせ、第二の態様の一つの実施形態では、該指示情報は、該グラントリソースが異なる論理チャネルに対応する同じデータベアラを送信することに用いられることを示し、該グラントリソースが第一のグラントリソースと第二のグラントリソースを含み、ターゲット論理チャネルは第一の論理チャネルと第二の論理チャネルを含み、該第一のグラントリソースが、該第一の端末装置が該第二の端末装置へ第一の論理チャネルに搬送される第一のデータを送信することに用いられ、該第二のグラントリソースが、該第一の端末装置が該第二の端末装置へ第二の論理チャネルに搬送される第二のデータを送信することに用いられ、該第一の論理チャネルと該第二の論理チャネルが同じデータベアラに対応する。
【００２６】
第二の態様及びその上記実施形態と組み合わせ、第二の態様の別の実施形態では、該方法は、さらに該ネットワーク装置が該第一の端末装置の該第一の論理チャネルと第一の搬送波との対応関係、及び該第二の論理チャネルと第二の搬送波との対応関係を確定することと、該ネットワーク装置が該第一の論理チャネルと該第一の搬送波との対応関係、及び該第二の論理チャネルと該第二の搬送波との対応関係に基づいて、該第一の搬送波と該第一のグラントリソースとの対応関係及び該第二の搬送波と第二のグラントリソースとの対応関係を確定することと、該ネットワーク装置が該第一の端末装置へ第一の対応関係情報を送信し、第一の対応関係情報が、該第一の端末装置が該第一の搬送波と該第一のグラントリソースとの対応関係及び該第二の搬送波と第二のグラントリソースとの対応関係を確定することに用いられることとを含む。
【００２７】
選択可能に、該第一の対応関係情報は該リソースグラント情報を含む。
【００２８】
第二の態様及びその上記実施形態と組み合わせ、第二の態様の別の実施形態では、該ネットワーク装置が該第一の論理チャネルと該第一の搬送波との対応関係、及び該第二の論理チャネルと該第二の搬送波との対応関係を確定した後、該方法は、さらに該ネットワーク装置が該第一の端末装置へ第二の対応関係情報を送信し、該第二の対応関係情報が、該第一の端末装置が該第一の論理チャネルと該第一の搬送波との対応関係、及び該第二の論理チャネルと該第二の搬送波との対応関係を確定することに用いられることを含む。
【００２９】
第二の態様及びその上記実施形態と組み合わせ、第二の態様の別の実施形態では、該第二の対応関係情報は第一の論理チャネルグループと該第一の搬送波との対応関係を含み、該第一の論理チャネルグループがｎ個の論理チャネルを含み、該ｎ個の論理チャネルが第一の論理チャネルを含み且つ該第二の論理チャネルを含まなく、ｎが１より大きい正整数であり、及び／又は、該第二の対応関係情報は第二の論理チャネルグループと該第二の搬送波との対応関係を含み、該第二の論理チャネルグループがｍ個の論理チャネルを含み、該ｍ個の論理チャネルが第二の論理チャネルを含み且つ第一の論理チャネルを含まなく、ｍが１より大きい正整数である。
【００３０】
選択可能に、該第二の対応関係情報は、無線リソース制御（ＲＲＣ）シグナリング、媒体アクセス制御層制御要素（ＭＡＣ  ＣＥ）又はダウンリンク制御情報（ＤＣＩ）である。
【００３１】
第二の態様及びその上記実施形態と組み合わせ、第二の態様の別の実施形態では、該ネットワーク装置が該第一の端末装置の該第一の論理チャネルと第一の搬送波との対応関係、及び該第二の論理チャネルと第二の搬送波との対応関係を確定することは、該ネットワーク装置が該第一の端末装置から送信された第三の対応関係情報を受信することと、該ネットワーク装置が該第三の対応関係情報に基づき、該第一の論理チャネルと該第一の搬送波との対応関係、及び該第二の論理チャネルと該第二の搬送波との対応関係を確定することとを含む。
【００３２】
第二の態様及びその上記実施形態と組み合わせ、第二の態様の別の実施形態では、該第三の対応関係情報は第三の論理チャネルグループと該第一の搬送波との対応関係を含み、該第三の論理チャネルグループがｋ個の論理チャネルを含み、該ｋ個の論理チャネルが第一の論理チャネルを含み且つ該第二の論理チャネルを含まなく、ｋが１より大きい正整数であり、及び／又は、該第三の対応関係情報は第四の論理チャネルグループと該第二の搬送波との対応関係を含み、該第四の論理チャネルグループがＩ個の論理チャネルを含み、該Ｉ個の論理チャネルが第二の論理チャネルを含み且つ第一の論理チャネルを含まなく、Ｉが１より大きい正整数である。
【００３３】
選択可能に、該第三の対応関係情報はＲＲＣシグナリング、ＭＡＣ  ＣＥ又はＤＣＩである。
【００３４】
第二の態様及びその上記実施形態と組み合わせ、第二の態様の別の実施形態では、該方法は、さらに該ネットワーク装置が該第一の端末装置へ第四の対応関係情報を送信し、該第四の対応関係情報が該第一の論理チャネルと該第一のグラントリソースとの対応関係、及び該第二の論理チャネルと該第二のグラントリソースとの対応関係を含むことを含む。
【００３５】
選択可能に、該第四の対応関係情報は該リソースグラント情報を含む。
【００３６】
したがって、本出願の実施例のリソーススケジューリング方法では、ネットワーク装置は、端末装置に指示情報及びグラントリソースを送信し、これにより、端末装置は、複製データを伝送するためのグラントリソースを確定し、該グラントリソースを用いて他の端末装置へ複製データを伝送することができ、それによってＣＡシーンにおける複製データの伝送のためのリソース割り当てを実現する。
【００３７】
第三の態様によるリソーススケジューリング方法は、第一の端末装置がネットワーク装置から送信された第一の対応関係情報とリソースグラント情報を受信し、該リソースグラント情報が、該ネットワーク装置によって該第一の端末装置に割り当てられたグラントリソースを示すことに用いられることと、該第一の端末装置が該第一の対応関係情報に基づき、該グラントリソースが特定の伝送時間間隔（ＴＴＩ）に基づいてデータを伝送するためのリソースであることを確定することと、該第一の端末装置が該特定ＴＴＩに対応するターゲット論理チャネルを確定することと、該第一の端末装置が該グラントリソースを用いて該第二の端末装置へ該ターゲット論理チャネルに搬送されるデータを送信することとを含む。
【００３８】
したがって、本出願の実施例のリソーススケジューリング方法では、端末装置はネットワーク装置から送信されたグラントリソース、及び該グラントリソースと特定ＴＴＩとの関係を示すことができる対応関係情報を受信することができ、これにより、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現することができ、さらに伝送遅延を減らすことができる。
【００３９】
第三の態様と組み合わせ、第三の態様の一つの実施形態では、該第一の端末装置が該特定ＴＴＩに対応するターゲット論理チャネルを確定する前に、該方法はさらに該第一の端末装置が該ターゲット論理チャネルと該特定ＴＴＩとの対応関係を確定することを含む。
【００４０】
第三の態様及びその上記実施形態と組み合わせ、第三の態様の別の実施形態では、該第一の端末装置が該ターゲット論理チャネルと該特定ＴＴＩとの対応関係を確定することは、該第一の端末装置が該ネットワーク装置から送信された第二の対応関係情報を受信することと、該端末装置が該第二の対応関係情報に基づき、該ターゲット論理チャネルと該特定ＴＴＩとの対応関係を確定することとを含む。
【００４１】
第三の態様及びその上記実施形態と組み合わせ、第三の態様の別の実施形態では、該第二の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【００４２】
第三の態様及びその上記実施形態と組み合わせ、第三の態様の別の実施形態では、該第一の端末装置が該ターゲット論理チャネルと該特定ＴＴＩとの対応関係を確定した後、該方法はさらに該第一の端末装置が該ネットワーク装置へ第三の対応関係情報を送信し、該第三の対応関係情報が、ネットワーク装置が該ターゲット論理チャネルと該特定ＴＴＩとの対応関係及び該第一の対応関係情報を確定することに用いられることを含む。
【００４３】
第三の態様及びその上記実施形態と組み合わせ、第三の態様の別の実施形態では、該第三の対応関係情報は、少なくとも一つの論理チャネルグループと該特定ＴＴＩとの対応関係を含み、該少なくとも一つの論理チャネルグループ内の各論理チャネルグループが複数の論理チャネルを含み、該複数の論理チャネルが同じＴＴＩに対応する。
【００４４】
第三の態様及びその上記実施形態と組み合わせ、第三の態様の別の実施形態では、該特定ＴＴＩの長さが１ｍｓ未満である。
【００４５】
選択可能に、該特定ＴＴＩの長さが０．５ｍｓに等しい。
【００４６】
したがって、本出願の実施例のリソーススケジューリング方法では、端末装置はネットワーク装置から送信されたグラントリソース、及び該グラントリソースと特定ＴＴＩとの関係を示すことができる対応関係情報を受信することができ、これにより、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現することができ、さらに伝送遅延を減らすことができる。
【００４７】
第四の態様によるリソーススケジューリング方法は、ネットワーク装置が第一の端末装置にグラントリソースを配置し、該グラントリソースが特定の伝送時間間隔（ＴＴＩ）に基づいてデータを伝送するためのリソースであることと、該ネットワーク装置が該第一の端末装置へリソースグラント情報と第一の対応関係情報を送信し、該リソースグラント情報が該グラントリソースを示すことに用いられ、該第一の対応関係情報が、該第一の端末装置が該特定ＴＴＩに対応するターゲット論理チャネルを確定することに用いられ、該グラントリソースが、該第一の端末装置が第二の端末装置へ該ターゲット論理チャネルに搬送されるデータを送信することに用いられることとを含む。
【００４８】
したがって、本出願の実施例のリソーススケジューリング方法では、ネットワーク装置は端末装置へグラントリソースを送信し、対応関係情報によって該グラントリソースと特定ＴＴＩとの対応関係を示すことができ、これにより、該第一の端末装置は、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現し、さらに伝送遅延を減らすことができる。
【００４９】
第四の態様と組み合わせ、第四の態様の一つの実施形態では、該方法はさらに該ネットワーク装置が該ターゲット論理チャネルと該特定ＴＴＩとの対応関係を確定することを含み、該ネットワーク装置が第一の端末装置にグラントリソースを配置することは、該ネットワーク装置が該ターゲット論理チャネルと該特定ＴＴＩとの対応関係に基づいて、該端末装置に該グラントリソースを配置することを含む。
【００５０】
第四の態様及びその上記実施形態と組み合わせ、第四の態様の別の実施形態では、該ネットワーク装置が該ターゲット論理チャネルと該特定ＴＴＩとの対応関係を確定した後、該方法はさらに該ネットワーク装置が該第一の端末装置へ第二の対応関係情報を送信し、該第二の対応関係情報が、該第一の端末装置が該ターゲット論理チャネルと該特定ＴＴＩとの対応関係を確定することに用いられることを含む。
【００５１】
第四の態様及びその上記実施形態と組み合わせ、第四の態様の別の実施形態では、該第二の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【００５２】
第四の態様及びその上記実施形態と組み合わせ、第四の態様の別の実施形態では、該ネットワーク装置が該ターゲット論理チャネルと該特定ＴＴＩとの対応関係を確定することは、該ネットワーク装置が該第一の端末装置から送信された第三の対応関係情報を受信することと、該ネットワーク装置が該第三の対応関係情報に基づき、該ターゲット論理チャネルと該特定ＴＴＩとの対応関係を確定することとを含む。
【００５３】
第四の態様及びその上記実施形態と組み合わせ、第四の態様の別の実施形態では、該第三の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【００５４】
第四の態様及びその上記実施形態と組み合わせ、第四の態様の別の実施形態では、該特定ＴＴＩの長さが１ｍｓ未満である。
【００５５】
したがって、本出願の実施例のリソーススケジューリング方法では、ネットワーク装置は、端末装置へグラントリソースを送信し、対応関係情報によって該グラントリソースと特定ＴＴＩとの対応関係を示すことができ、これにより、該第一の端末装置は、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現し、さらに伝送遅延を減らすことができる。
【００５６】
第五の態様による端末装置は上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００５７】
第六の態様によるネットワーク装置は上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００５８】
第七の態様による端末装置は上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００５９】
第八の態様によるネットワーク装置は上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００６０】
第九の態様による端末装置は、記憶ユニットとプロセッサを備え、該記憶ユニットが命令を記憶するように構成され、該プロセッサが該メモリに記憶された命令を実行するように構成され、該プロセッサが該メモリに記憶された命令を実行する場合、該実行により該プロセッサが第一の態様又は第一の態様のいずれかの可能な実施形態における方法を実行する。
【００６１】
第十の態様によるネットワーク装置は、記憶ユニットとプロセッサを備え、該記憶ユニットが命令を記憶するように構成され、該プロセッサが該メモリに記憶された命令を実行するように構成され、該プロセッサが該メモリに記憶された命令を実行する場合、該実行により該プロセッサが第二の態様又は第二の態様のいずれかの可能な実施形態における方法を実行する。
【００６２】
第十一の態様による端末装置は、記憶ユニットとプロセッサを備え、該記憶ユニットが命令を記憶するように構成され、該プロセッサが該メモリに記憶された命令を実行するように構成され、該プロセッサが該メモリに記憶された命令を実行する場合、該実行により該プロセッサが第一の態様又は第一の態様のいずれかの可能な実施形態における方法を実行する。
【００６３】
第十二の態様によるネットワーク装置は、記憶ユニットとプロセッサを備え、該記憶ユニットが命令を記憶するように構成され、該プロセッサが該メモリに記憶された命令を実行するように構成され、該プロセッサが該メモリに記憶された命令を実行する場合、該実行により該プロセッサが第二の態様又は第二の態様のいずれかの可能な実施形態における方法を実行する。
【００６４】
第十三の態様によるコンピュータ可読媒体は、コンピュータプログラムを記憶するように構成され、該コンピュータプログラムが第一の態様又は第一の態様のいずれかの可能な実施形態における方法を実行するための命令を含む。
【００６５】
第十四の態様によるコンピュータ可読媒体は、コンピュータプログラムを記憶するように構成され、該コンピュータプログラムが第二の態様又は第二の態様のいずれかの可能な実施形態における方法を実行するための命令を含む。
【００６６】
第十五の態様によるコンピュータ可読媒体は、コンピュータプログラムを記憶するように構成され、該コンピュータプログラムが第一の態様又は第一の態様のいずれかの可能な実施形態における方法を実行するための命令を含む。
【００６７】
第十六の態様によるコンピュータ可読媒体は、コンピュータプログラムを記憶するように構成され、該コンピュータプログラムが第二の態様又は第二の態様のいずれかの可能な実施形態における方法を実行するための命令を含む。
【００６８】
第十七の態様による命令を含むコンピュータプログラム製品は、コンピュータが前記コンピュータプログラム製品の前記指示を実行する場合、前記コンピュータが上記の第一の態様又は第一の態様の任意の可能な実施形態におけるリソーススケジューリング方法を実行する。具体的には、該コンピュータプログラム製品は上記第三の態様の端末装置で実行されてもよい。
【００６９】
第十八の態様による命令を含むコンピュータプログラム製品は、コンピュータが前記コンピュータプログラム製品の前記指示を実行する場合、前記コンピュータが上記の第一の態様又は第一の態様の任意の可能な実施形態におけるリソーススケジューリング方法を実行する。具体的には、該コンピュータプログラム製品は上記第三の態様のネットワーク装置で実行されてもよい。
【００７０】
第十九の態様による命令を含むコンピュータプログラム製品は、コンピュータが前記コンピュータプログラム製品の前記指示を実行する場合、前記コンピュータが上記の第一の態様又は第一の態様の任意の可能な実施形態におけるリソーススケジューリング方法を実行する。具体的には、該コンピュータプログラム製品は上記第三の態様の端末装置で実行されてもよい。
【００７１】
第二十の態様による命令を含むコンピュータプログラム製品は、コンピュータが前記コンピュータプログラム製品の前記指示を実行する場合、前記コンピュータが上記の第一の態様又は第一の態様の任意の可能な実施形態におけるリソーススケジューリング方法を実行する。具体的には、該コンピュータプログラム製品は上記第三の態様のネットワーク装置で実行されてもよい。
【図面の簡単な説明】
【００７２】
【図１】本出願の実施例によるカーインターネットシステムの概略図である。
【図２】本出願の実施例によるリソーススケジューリング方法の概略フローチャートである。
【図３】本出願の実施例によるＰＤＣＰ層データを複製して伝送することを示す概略図である。
【図４】本出願の実施例によるリソーススケジューリング方法の別の概略フローチャートである。
【図５】本出願の実施例によるリソーススケジューリング方法の別の概略フローチャートである。
【図６】本出願の実施例によるリソーススケジューリング方法の別の概略フローチャートである。
【図７】本出願の実施例による端末装置の概略ブロック図である。
【図８】本出願の実施例によるネットワーク装置の概略ブロック図である。
【図９】本出願の実施例による端末装置の別の概略ブロック図である。
【図１０】本出願の実施例による端末装置の別の概略ブロック図である。
【図１１】本出願の実施例による端末装置の別の概略ブロック図である。
【図１２】本出願の実施例による端末装置の別の概略ブロック図である。
【図１３】本出願の実施例による端末装置の別の概略ブロック図である。
【図１４】本出願の実施例による端末装置の別の概略ブロック図である。
【発明を実施するための形態】
【００７３】
以下に図面を組み合わせながら本出願の実施例における技術的解決策を説明する。
【００７４】
理解すべきものとして、本出願の実施例の技術的解決策は様々な通信システム、例えばＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、第４．５世代（４．５Ｇ：４．５ｔｈ  ｇｅｎｅｒａｔｉｏｎ）のネットワーク、第５世代（５Ｇ：５ｔｈ  ｇｅｎｅｒａｔｉｏｎ）のネットワーク、新しいエアインタフェース（ＮＲ：Ｎｅｗ  Ｒａｄｉｏ）システムなどに応用されてもよい。本出願の実施例はさらに車両から他の装置へ（Ｖ２Ｘ：Ｖｅｈｉｃｌｅ  ｔｏ  Ｅｖｅｒｙｔｈｉｎｇ）のシステム、例えば車両から車両へ（Ｖ２Ｖ：ｖｅｈｉｃｌｅ  ｔｏ  ｖｅｈｉｃｌｅ）のシステム、又は、端末から端末へ（Ｄ２Ｄ：ｄｅｖｉｃｅ  ｔｏ  ｄｅｖｉｃｅ）のシステムに応用されてもよい。
【００７５】
理解すべきものとして、本出願の実施例に係るネットワーク装置は、無線アクセスネットワークに配置され、端末装置に無線通信機能を提供することに用いられる装置である。前記ネットワーク装置は基地局であってもよく、前記基地局が様々な形態のマクロ基地局、マイクロ基地局、中継局、アクセスポイントなどを含むことができる。異なる無線アクセス技術を用いたシステムでは、基地局機能を備えた装置の名称は異なる可能性がある。例えばＬＴＥネットワークにおいて、進化したノードＢ（ｅＮＢ又はｅＮｏｄｅＢ：ｅｖｏｌｖｅｄ  ｎｏｄｅＢ）と呼ばれ、第３世代（３Ｇ：３ｒｄ  Ｇｅｎｅｒａｔｉｏｎ）のネットワークにおいて、ノードＢ（Ｎｏｄｅ  Ｂ）などと呼ばれる。
【００７６】
理解すべきものとして、本出願の実施例における端末装置は端末（Ｔｅｒｍｉｎａｌ）、ユーザ装置（ＵＥ：ｕｓｅｒ  ｅｑｕｉｐｍｅｎｔ）、移動ステーション（ＭＳ：ｍｏｂｉｌｅ  ｓｔａｔｉｏｎ）、移動端末（ＭＴ：ｍｏｂｉｌｅ  ｔｅｒｍｉｎａｌ）などと呼ばれてもよい。該端末装置は車載端末（ＶＵＥ：ｖｅｈｉｃｌｅ  ｕｓｅｒ  ｅｑｕｉｐｍｅｎｔ）、例えば車両又は自動運転（ｓｅｌｆ  ｄｒｉｖｉｎｇ）における無線端末などであってもよく、又は、該端末装置は歩行者用ハンドヘルド端末（ＰＵＥ：ｐｅｄｅｓｔｒｉａｎ  ｕｓｅｒ  ｅｑｕｉｐｍｅｎｔ）、例えば携帯電話（ｍｏｂｉｌｅ  ｐｈｏｎｅ）、タブレットコンピュータ（Ｐａｄ）、無線送受信機能を備えたコンピュータなどであってもよい。
【００７７】
図１は本出願の実施例によるカーインターネットシステムの概略図である。図１に示すように、本出願の実施例は様々な応用場面に応用されてもよく、ここでカーインターネットシステムにおけるネットワーク装置と端末装置を例として説明し、ここで、ネットワーク装置が基地局（ｅＮＢ）であってもよく、端末装置が車載端末であってもよく、該車載端末装置が車両１と車両２を含む。
【００７８】
３ＧＰＰのリリース（Ｒｅｌｅａｓｅ）１４（Ｒｅｌ−１４）において、カーインターネット技術に対して、モード３とモード４の２つの伝送モードを定義することを含む標準化を行う。ここで、モード３では、車載端末の伝送リソースは基地局によって割り当てられ、車載端末は基地局によって割り当てられたリソースに基づき、サイドリンクで他の車載端末とデータの送信を行い、基地局は、一回の伝送されたリソースを端末に割り当てることができ、半静的に送信されたリソースを端末に割り当てることもできる。
【００７９】
例えば、図１に示すように、ｅＮＢは車両１にグラントリソースを配置することができ、図１におけるダウンリンク（ＤＬ：ｄｏｗｎ  ｌｉｎｋ）を介し、該グラントリソースを示ためのリソースグラント情報を送信することができる。車両１は該グラントリソースを確定し、該グラントリソースを用いてＳＬを介して車両２にデータを送信する。又は、ｅＮＢはＤＬを介して車両２にグラントリソースを配置することもでき、車両２は該グラントリソースを用いてＳＬを介して車両１にデータを送信する。
【００８０】
図２は本出願の実施例によるリソーススケジューリング方法１００を示す概略フローチャートである。該方法１００は端末装置によって実行されてもよく、例えば図１に示す車載端末によって実行されてもよく、該車載端末は図１における車両１又は車両２であってもよい。
【００８１】
図２に示すように、該方法１００は、第一の端末装置がネットワーク装置から送信された指示情報とリソースグラント情報を受信し、該リソースグラント情報が、該ネットワーク装置によって該第一の端末装置に割り当てられたグラントリソースを示すことに用いられ、該指示情報が、該グラントリソースがターゲット論理チャネルに搬送されるデータの送信に用いられることを示すことに用いられるＳ１１０と、該第一の端末装置が該指示情報と該リソースグラント情報に基づき、該グラントリソースを用いて該第二の端末装置へ該ターゲット論理チャネルに搬送されるデータを送信するＳ１２０とを含む。
【００８２】
理解すべきものとして、該第一の端末装置と第二の端末装置は任意の端末装置であってもよく、該第一の端末装置は一つ又は複数の端末装置、例えば一つのグループの端末装置であってもよく、同様に、該第二の端末装置は一つ又は複数の端末装置、例えば一つのグループの端末装置であってもよく、本出願の実施例はこれに限定されない。
【００８３】
本出願の実施例では、第一の端末装置から第二の端末装置へのデータの送信のために占有されたグラントリソースは、ネットワーク装置により配置されてもよく、即ち該第一の端末装置は該ネットワーク装置によって配置されたグラントリソースに基づき、第二の端末装置へデータを送信する。例えば、該第一の端末装置はリリースＲｅｌ−１４に基づいて動作する端末装置であってもよく、該第一の端末装置はモード３であってもよい。
【００８４】
理解すべきものとして、該方法１００はＣＡシーンにおける複製伝送に用いられてもよく、該複製伝送がＰＤＣＰ  ＰＤＵデータを複製し、２つのＲＬＣエンティティを介して伝送するというＰＤＣＰ層の複製機能を含むことができ、又は、該複製伝送がＰＤＣＰサービスデータユニット（ＳＤＵ：ｓｅｒｖｉｃｅ  ｄａｔａ  ｕｎｉｔ）データを複製し、２つのＰＤＣＰエンティティを介してそれぞれ伝送することであってもよく、本出願の実施例はこれに限定されない。
【００８５】
選択可能に、該複製伝送はＰＤＣＰ  ＰＤＵデータを複製して伝送することであってもよい。具体的には、図３は本出願の実施例によるＰＤＣＰ層データを複製して伝送することを示す概略図である。図３に示すように、一つのＰＤＣＰエンティティは２つのＲＬＣエンティティにバインドされる。該端末装置は送信待ち第一のＰＤＣＰ  ＰＤＵを複製（ｄｕｐｌｉｃａｔｉｏｎ）して第二のＰＤＣＰ  ＰＤＵを得る。端末装置は該第一のＰＤＣＰ  ＰＤＵを該２つのＲＬＣエンティティのうちの一つのＲＬＣエンティティＲＬＣ１に送信し、該第二のＰＤＣＰ  ＰＤＵを該２つのＲＬＣエンティティのうちの別のＲＬＣエンティティＲＬＣ２に送信する。該２つのＲＬＣエンティティは受信されたＰＤＣＰ  ＰＤＵをそれぞれ処理し、媒体アクセス制御（ＭＡＣ：ｍｅｄｉａ  ａｃｃｅｓｓ  ｃｏｎｔｒｏｌ）層を通過した後、２つの異なる搬送波を介して該第一のＰＤＣＰ  ＰＤＵと該第二のＰＤＣＰ  ＰＤＵをネットワーク装置に送信し、例えば図３に示すように、物理搬送波１と物理搬送波２を介してそれぞれ送信する。該２つのＲＬＣエンティティが受信されたＰＤＣＰ  ＰＤＵを処理するプロセスは、従来技術における繰り返し伝送を行わない時の単一のＲＬＣエンティティがＰＤＣＰ  ＰＤＵを処理する方式と同じであり、ここで説明を省略する。
【００８６】
理解すべきものとして、該複製伝送は、シグナリング無線ベアラ（ＳＲＢ：ｓｉｇｎａｌｉｎｇ  ｒａｄｉｏ  ｂｅａｒｅｒ）及び／又はデータ無線ベアラ（ＤＲＢ：ｄａｔａ  ｒａｄｉｏ  ｂｅａｒｅｒ）を含むことができる。
【００８７】
Ｓ１１０において、第一の端末装置はネットワーク装置から送信された指示情報とリソースグラント情報を受信し、該リソースグラント情報が、該ネットワーク装置によって該第一の端末装置に割り当てられたグラントリソースを示すことに用いられ、該指示情報が、該グラントリソースがターゲット論理チャネルに搬送されるデータの送信に用いられることを示すことに用いられる。
【００８８】
本出願の実施例では、ネットワーク装置は第一の端末装置にグラントリソースを配置し、また該グラントリソースがどの論理チャネルに搬送されるデータの伝送に用いられることを該指示情報で該第一の端末装置に示すことができる。例えば、ＣＡシーンの場合、第一の端末装置は複製データの伝送を行うことができ、ネットワーク装置は該グラントリソースが複製データの伝送に利用可能であるか否かを該指示情報で該端末装置に示すことができる。具体的には、該指示情報は該グラントリソースがターゲット論理チャネルのデータを伝送することに用いられることを示すことができ、該ターゲット論理チャネルが複製データを伝送することができる場合、該グラントリソースは複製データを伝送することに用いられ、該ターゲット論理チャネルが複製データの伝送に利用可能ではない場合、該グラントリソースによって伝送されたターゲット論理チャネルに搬送されるデータは非複製データである。
【００８９】
選択可能に、ネットワーク装置はさらに該端末装置が該ターゲット論理チャネルによって複製データを搬送するかを指示情報で示すことができる。
【００９０】
具体的には、ＣＡシーンに対して、第一の端末装置が複製データを伝送する必要がある場合、例えば該第一の端末装置において複数の論理チャネルによって複製データを伝送することをネットワーク装置により示すことができ、さらにネットワーク装置によって配置されたグラントリソースによって該複製データを伝送することができる。具体的には、任意の一つの端末装置に対して、該端末装置は第一の端末装置と呼ばれてもよく、該第一の端末装置が複製データを伝送することができる。ネットワーク装置は該第一の端末装置にグラントリソースを配置し、該グラントリソースが複製データを伝送するためのリソースであってもよく、即ち該グラントリソースが異なる論理チャネルに対応するデータを送信することに用いられてもよく、該異なる論理チャネルが同じデータベアラに対応し、又は該グラントリソースが複製データの伝送に利用不可能なリソースであってもよく、即ち該グラントリソースが複製データ以外のデータを伝送することに用いられる。ネットワーク装置は、該第一の端末装置へ指示情報とリソースグラント情報を送信し、該リソースグラント情報がネットワーク装置によって第一の端末装置に割り当てられたグラントリソースを示すことに用いられ、該指示情報が、該グラントリソースが複製データの送信に利用可能であるか否か、即ち該グラントリソースが異なる論理チャネルに対応する同じデータベアラを送信することに用いられるか否かを示すことに用いられる。
【００９１】
Ｓ１２０において、該第一の端末装置は、該指示情報と該リソースグラント情報に基づき、該グラントリソースを用いて該第二の端末装置へターゲット論理チャネルに搬送されるデータを送信する。
【００９２】
選択可能に、該指示情報は該グラントリソースが複製データの送信に利用可能ではないことを示すことができ、第一の端末装置は該グラントリソースを用いて第二の端末装置へ複製データ以外のデータを送信し、例えば該グラントリソースがターゲット論理チャネルに搬送されるデータを送信することに用いられてもよく、該ターゲット論理チャネルに搬送されるデータが複製データに属しない。
【００９３】
選択可能に、一つの実施例として、該指示情報は該グラントリソースが複製データの送信に利用可能であることを示すことに用いられてもよく、即ち該第一の端末装置は該グラントリソースを用いて第二の端末装置へ異なる論理チャネルに対応する同じデータベアラを送信することができる。具体的には、該複製データはそれぞれ第一の論理チャネルと第二の論理チャネルに対応することができ、該第一の論理チャネルと第二の論理チャネルが同じデータベアラに対応し、該グラントリソースは第一のグラントリソースと第二のグラントリソースを含むことができ、ターゲット論理チャネルは該第一の論理チャネルと第二の論理チャネルを含み、ここで、該第一のグラントリソースが第二の端末装置へ第一の論理チャネルに対応するデータを送信するために第一の端末装置によって使用されてもよく、該第二のグラントリソースが該第二の端末装置へ第二の論理チャネルに対応するデータを送信するために第一の端末によって使用されてもよい。
【００９４】
具体的には、以下に該第一の端末装置が複製データを送信することができることを例として説明し、且つ、該ネットワーク装置は該第一の端末装置にグラントリソースを配置し、該グラントリソースが該複製データを送信することに用いられる。第一の端末装置はリソースグラント情報と指示情報を受信し、該グラントリソースによって複製データを伝送する前に、該第一の端末装置は該第一の論理チャネルと第一のグラントリソースとの第一の対応関係、及び第二の論理チャネルと第二のグラントリソースとの第二の対応関係を確定することができる。
【００９５】
選択可能に、一つの実施例として、第一の端末装置はまず第一の論理チャネルと第一の搬送波との対応関係及び第二の論理チャネルと第二の搬送波との対応関係を確定することができる。具体的には、該第一の端末装置は、ネットワーク装置から送信された第二の対応関係情報を受信することができ、第一の端末装置は該第二の対応関係に基づいて、第一の論理チャネルと第一の搬送波との対応関係及び第二の論理チャネルと第二の搬送波との対応関係を確定する。又は、該第一の端末装置は該第一の論理チャネルと第一の搬送波との対応関係及び第二の論理チャネルと第二の搬送波との対応関係をそれ自体で確定し、該ネットワーク装置がさらに第一の論理チャネルに対応する第一のグラントリソース及び第二の論理チャネルに対応する第二のグラントリソースを確定するように、ネットワーク装置へ第三の対応関係情報を送信することができ、該第三の対応関係が該第一の論理チャネルと第一の搬送波との対応関係及び第二の論理チャネルと第二の搬送波との対応関係を確定するためにネットワーク装置によって使用される。
【００９６】
選択可能に、該第一の端末装置がネットワーク装置から送信された第二の対応関係情報を受信し、該第二の対応関係情報に基づき、第一の論理チャネルと第一の搬送波との対応関係及び第二の論理チャネルと第二の搬送波との対応関係を確定することができる。具体的には、ネットワーク装置から送信された該第二の対応関係情報は無線リソース制御（ＲＲＣ：ｒａｄｉｏ  ｒｅｓｏｕｒｃｅ  ｃｏｎｔｒｏｌ）シグナリング、ＭＡＣ制御要素（ＣＥ：ｃｏｎｔｒｏｌ  ｅｌｅｍｅｎｔ）又はダウンリンク制御情報（ＤＣＩ：ｄｏｗｎｌｉｎｋ  ｃｏｎｔｒｏｌ  ｉｎｆｏｒｍａｔｉｏｎ）であってもよい。また、該第二の対応関係情報は論理チャネルの粒度、論理チャネルグループの粒度又は宛先アドレス（ｄｅｓｔｉｎａｔｉｏｎ  ａｄｄｒｅｓｓ）の粒度で対応関係を示すことができ、即ち該第二の対応関係情報には、論理チャネル、論理チャネルグループ又は宛先アドレス（ｄｅｓｔｉｎａｔｉｏｎ  ａｄｄｒｅｓｓ）と搬送波との対応関係が含まれ、本出願の実施例はこれに限定されない。
【００９７】
例えば、該第二の対応関係情報は論理チャネルの粒度で対応関係を示すことができ、即ち該第二の対応関係情報は複数の論理チャネルと複数の搬送波との対応関係を含むことができ、ここで、該複数の論理チャネルが第一の論理チャネル及び／又は第二の論理チャネルを含み、即ち該第二の対応関係情報は該第一の論理チャネルと第一の搬送波との対応関係及び／又は該第二の論理チャネルと第二の搬送波との対応関係を含むことができ、第一の端末装置は該第二の対応関係情報に基づき、第一の論理チャネルに搬送されるデータを第一の搬送波にマッピングし、該第二の論理チャネルに搬送されるデータを第二の搬送波にマッピングし、該第一の搬送波と第二の搬送波が任意の２つの異なる搬送波であってもよい。
【００９８】
また、例えば、該第二の対応関係情報は論理チャネルグループの粒度で対応関係を示すことができ、即ちネットワーク装置から送信された第二の対応関係情報は少なくとも一つの論理チャネルグループと搬送波との対応関係を含む。具体的には、該少なくとも一つの論理チャネルグループには第一の論理チャネルグループ及び／又は第二の論理チャネルグループが含まれてもよい。該少なくとも一つの論理チャネルグループに第一の論理チャネルグループが含まれ、即ち該第二の対応関係情報に第一の論理チャネルグループと第一の搬送波との対応関係が含まれてもよく、該第一の論理チャネルグループにｎ個の論理チャネルが含まれてもよく、該ｎ個の論理チャネルに第二の論理チャネルではなく第一の論理チャネルが含まれ、該ｎ個の論理チャネルがいずれも第一の搬送波に対応する場合、第一の端末装置は第一の論理チャネルと第一の搬送波との対応関係を確定することができる。該少なくとも一つの論理チャネルグループに第二の論理チャネルグループが含まれ、即ち該第二の対応関係情報に第二の論理チャネルグループと第二の搬送波との対応関係が含まれてもよく、該第二の論理チャネルグループにｍ個の論理チャネルが含まれてもよく、該ｍ個の論理チャネルに第一の論理チャネルではなく第二の論理チャネルが含まれ、該ｍ個の論理チャネルがいずれも第二の搬送波に対応する場合、第一の端末装置は第二の論理チャネルと第二の搬送波との対応関係を確定することができる。ここで、ｎとｍがいずれも１より大きい正整数である。
【００９９】
理解すべきものとして、該第二の対応関係情報はさらに論理チャネルと搬送波との対応関係及び論理チャネルグループと搬送波との対応関係を含むことができる。例えば、該第二の対応関係情報は第一の論理チャネルグループと第一の搬送波との対応関係を含むことができ、該第一の論理チャネルグループが第一の論理チャネルを含み、第一の端末装置は該第一の論理チャネルと該第一の搬送波との対応関係を確定することができ、該第二の対応関係情報はさらに一つ又は複数の論理チャネルと一つ又は複数の搬送波との対応関係情報を含むことができ、論理チャネルグループを粒度とすることではなく、さらに第一の端末装置はさらに該第二の論理チャネルと該第二の搬送波との対応関係を確定することができるが、本出願の実施例はこれに限定されない。
【０１００】
選択可能に、該第一の端末装置は該第一の論理チャネルと第一の搬送波との対応関係及び第二の論理チャネルと第二の搬送波との対応関係をそれ自体で確定することができる。該第一の端末装置はネットワーク装置へ第三の対応関係情報を送信し、第一の論理チャネルと第一の搬送波との対応関係及び第二の論理チャネルと第二の搬送波との対応関係を該第三の対応関係情報で示すことができる。具体的には、第一の端末装置によってネットワーク装置に送信された該第三の対応関係情報は、ＲＲＣシグナリング、ＭＡＣ  ＣＥ又はＤＣＩであってもよい。
【０１０１】
また、第一の端末装置は論理チャネルと搬送波との対応関係を確定し、該第三の対応関係によってネットワーク装置に報告し、ここで、該第三の対応関係情報が論理チャネルの粒度、論理チャネルグループの粒度又は宛先アドレス（ｄｅｓｔｉｎａｔｉｏｎ  ａｄｄｒｅｓｓ）の粒度で対応関係を示すこともでき、即ち該第三の対応関係情報には、論理チャネル、論理チャネルグループ又は宛先アドレス（ｄｅｓｔｉｎａｔｉｏｎ  ａｄｄｒｅｓｓ）と搬送波との対応関係が含まれ、本出願の実施例はこれに限定されない。
【０１０２】
例えば、該第三の対応関係情報は論理チャネルの粒度で対応関係を示すことができ、即ち該第三の対応関係情報は複数の論理チャネルと複数の搬送波との対応関係を含むことができ、ここで、該複数の論理チャネルが第一の論理チャネル及び／又は第二の論理チャネルを含み、即ち該第三の対応関係情報に該第一の論理チャネルと第一の搬送波との対応関係及び／又は該第二の論理チャネルと第二の搬送波との対応関係が含まれ、ネットワーク装置が該第三の対応関係情報に基づき、第一の論理チャネルと第一の搬送波との対応関係及び第二の論理チャネルと第二の搬送波との対応関係を確定するように、該第一の搬送波と第二の搬送波は任意の２つの異なる搬送波であってもよい。
【０１０３】
また、例えば、該第三の対応関係情報は論理チャネルの粒度で対応関係を示すことができ、即ちネットワーク装置に送信された第三の対応関係情報は少なくとも一つの論理チャネルグループと搬送波との対応関係を含む。具体的には、該少なくとも一つの論理チャネルグループには第一の論理チャネルグループ及び／又は第二の論理チャネルグループが含まれてもよい。該少なくとも一つの論理チャネルグループに第一の論理チャネルグループが含まれ、即ち該第三の対応関係情報に第三の論理チャネルグループと第一の搬送波との対応関係が含まれてもよく、該第三の論理チャネルグループにｋ個の論理チャネルが含まれてもよく、該ｋ個の論理チャネルに第二の論理チャネルではなく第一の論理チャネルが含まれ、該ｋ個の論理チャネルがいずれも第一の搬送波に対応する場合、ネットワーク装置は第一の論理チャネルと第一の搬送波との対応関係を確定することができる。該少なくとも一つの論理チャネルグループに第四の論理チャネルグループが含まれ、即ち該第三の対応関係情報に第四の論理チャネルグループと第二の搬送波との対応関係が含まれてもよく、該第四の論理チャネルグループにＩ個の論理チャネルが含まれてもよく、該Ｉ個の論理チャネルに第一の論理チャネルではなく第二の論理チャネルが含まれ、該Ｉ個の論理チャネルがいずれも第二の搬送波に対応する場合、ネットワーク装置は第二の論理チャネルと第二の搬送波との対応関係を確定することができる。ここで、ｋとＩがいずれも１より大きい正整数である。
【０１０４】
理解すべきものとして、該第三の対応関係情報はさらに論理チャネルと搬送波との対応関係及び論理チャネルグループと搬送波との対応関係を含むことができる。例えば、該第三の対応関係情報は第一の論理チャネルグループと第一の搬送波との対応関係を含むことができ、該第一の論理チャネルグループが第一の論理チャネルを含み、ネットワーク装置は該第一の論理チャネルと該第一の搬送波との対応関係を確定することができ、該第三の対応関係情報はさらに一つ又は複数の論理チャネルと一つ又は複数の搬送波との対応関係情報を含むことができ、論理チャネルグループを粒度とすることではなく、さらにネットワーク装置はさらに該第二の論理チャネルと該第二の搬送波との対応関係を確定することができるが、本出願の実施例はこれに限定されない。
【０１０５】
本出願の実施例では、該第一の端末装置がまず第一の論理チャネルと第一の搬送波との対応関係、及び第二の論理チャネルと第二の搬送波との対応関係を確定し、該第一の端末装置はさらにネットワーク装置から送信された第一の対応関係情報を受信し、該第一の対応関係情報に基づき、第一の搬送波と第一のグラントリソースとの対応関係及び第二のグラントリソースと第二の搬送波との対応関係を確定することができ、該第一の端末装置は第一の論理チャネルと第一の搬送波との対応関係及び第一の搬送波と第一のグラントリソースとの対応関係に基づいて、第一のグラントリソースと第一の論理チャネルとの第一の対応関係を確定することができ、同様に、第二の論理チャネルと第二の搬送波との対応関係及び第二の搬送波と第二のグラントリソースとの対応関係に基づいて、第二のグラントリソースと第二の論理チャネルとの第二の対応関係を確定することができる。
【０１０６】
具体的には、第一の端末装置がネットワーク装置から受信した第一の対応関係情報は、制御チャネルに搬送されてもよい。選択可能に、該第一の端末装置はさらに該制御情報によって指示情報を取得することができ、該指示情報が、該グラントリソースが異なる論理チャネルに対応する同じデータベアラの送信に利用可能であるか否かを示すことに用いられ、該第一の端末装置はさらに該制御情報によってリソースグラント情報を取得することができ、該リソースグラント情報が、該ネットワーク装置によって該第一の端末装置に割り当てられたグラントリソースを示すことに用いられるが、本出願の実施例はこれに限定されない。
【０１０７】
選択可能に、一つの実施例として、第一の端末装置はネットワーク装置から送信された第四の対応関係情報を受信し、該第四の対応関係情報に基づき、第一の論理チャネルと第一のグラントリソースとの第一の対応関係及び第二の論理チャネルと第二のグラントリソースとの対応関係を直接確定することができる。
【０１０８】
理解すべきものとして、該第一の端末装置によって受信された該第四の対応関係情報には、第一の論理チャネルと第一のグラントリソースとの第一の対応関係及び第二の論理チャネルと第二のグラントリソースとの対応関係が含まれてもよい。具体的には、該第四の対応関係に少なくとも一つの論理チャネルの論理チャネル識別子（ＬＣＩＤ：ｌｏｇｉｃａｌ  ｃｈａｎｎｅｌ  ｉｄｅｎｔｉｆｙ）が含まれてもよく、該少なくとも一つの論理チャネルのＬＣＩＤに基づいて対応する少なくとも一つの論理チャネルを確定し、該少なくとも一つの論理チャネルのデータ複製機能がオン状態にあり、即ち該少なくとも一つの論理チャネルに搬送されるデータが複製データである。
【０１０９】
該第四の対応関係情報には該少なくとも一つの論理チャネルとグラントリソースとの対応関係が含まれ、該グラントリソースが該少なくとも一つの論理チャネルに対応するデータの伝送に利用可能であることを示すことに用いられ、第一の論理チャネルと第一のグラントリソースとの第一の対応関係及び第二の論理チャネルと第二のグラントリソースとの対応関係を含む。残りの示されていない論理チャネルは、複製データの伝送をサポートしないこと、又は複製データ伝送機能がオンになっていないことを黙認することができ、即ち該残りの論理チャネルに搬送されるデータは他の任意のグラントリソースで伝送されてもよい。第一の端末装置は該第四の対応関係情報に基づき、第一のグラントリソースが第一の論理チャネルに搬送されるデータを送信することに用いられ、第二のグラントリソースが第二の論理チャネルに搬送されるデータを送信することに用いられることを確定する。
【０１１０】
選択可能に、第一の端末装置がネットワーク装置から受信された第四の対応関係情報は、制御チャネルに搬送されてもよい。選択可能に、該第一の端末装置はさらに該制御情報によって指示情報を取得することができ、該指示情報が、該グラントリソースが異なる論理チャネルに対応する同じデータベアラの送信に利用可能であるか否かを示すことに用いられ、該第一の端末装置はさらに該制御情報によってリソースグラント情報を取得することができ、該リソースグラント情報が、該ネットワーク装置によって該第一の端末装置に割り当てられたグラントリソースを示すことに用いられるが、本出願の実施例はこれに限定されない。
【０１１１】
具体的には、該第四の対応関係情報が制御チャネルに搬送される制御情報であってもよく、第一の端末装置は制御チャネルの制御情報に、該第一の端末装置にサポートされる全てのＬＣＩＤに対応する一つのビットマップ（ｂｉｔｍａｐ）を含ませることができ、例えば、該第一の端末装置が合計１６つの論理チャネルを有するため、制御情報に一つの１６ビットのビットマップ（ｂｉｔｍａｐ）が含まれ、ビットマップ（ｂｉｔｍａｐ）における値では、０が対応する論理チャネルが該グラントリソースを用いることができないことを示すことができ、１が対応する論理チャネルが該グラントリソースを用いることができることを示すことができ、また、該ビットマップ（ｂｉｔｍａｐ）によって示される、該グラントリソースを用いることができる論理チャネルはいずれも複製データの伝送に利用可能な論理チャネルであってもよく、又はいずれも複製データの伝送に利用可能ではない論理チャネルであってもよい。
【０１１２】
したがって、本出願の実施例のリソーススケジューリング方法では、端末装置はネットワーク装置から送信された指示情報及びグラントリソースにより、複製データの伝送に利用可能なグラントリソースを確定し、該グラントリソースを用いて他の端末装置へ複製データを伝送することで、ＣＡシーンにおける複製データの伝送のためのリソース割り当てを実現する。
【０１１３】
以上に図１−図３と組み合わせ、端末装置の観点から本出願の実施例によるリソーススケジューリング方法を詳細に説明し、以下に図４と組み合わせ、ネットワーク装置の観点から本出願の実施例によるリソーススケジューリング方法を説明する。
【０１１４】
図４は本出願の実施例によるリソーススケジューリング方法２００の概略フローチャートである。該方法２００はネットワーク装置によって実行されてもよい。
【０１１５】
図４に示すように、該方法２００は、ネットワーク装置が第一の端末装置にグラントリソースを配置し、該グラントリソースが、該第一の端末装置が第二の端末装置へデータを送信することに用いられるＳ２１０と、該ネットワーク装置が該第一の端末装置へリソースグラント情報と指示情報を送信し、該リソースグラント情報が該グラントリソースを示すことに用いられ、該指示情報が、該グラントリソースがターゲット論理チャネルに搬送されるデータの送信に用いられることを示すことに用いられるＳ２２０とを含む。
【０１１６】
したがって、本出願の実施例のリソーススケジューリング方法では、ネットワーク装置は、端末装置に指示情報及びグラントリソースを送信し、これにより、端末装置は、複製データを伝送するためのグラントリソースを確定し、該グラントリソースを用いて他の端末装置へ複製データを伝送することができ、それによってＣＡシーンにおける複製データの伝送のためのリソース割り当てを実現する。
【０１１７】
選択可能に、一つの実施例として、該指示情報は、該グラントリソースが異なる論理チャネルに対応する同じデータベアラの送信に利用可能であることを示し、該グラントリソースが第一のグラントリソースと第二のグラントリソースを含み、ターゲット論理チャネルは第一の論理チャネルと第二の論理チャネルを含み、該第一のグラントリソースが、該第一の端末装置が該第二の端末装置へ第一の論理チャネルに搬送される第一のデータを送信することに用いられ、該第二のグラントリソースが、該第一の端末装置が該第二の端末装置へ第二の論理チャネルに搬送される第二のデータを送信することに用いられ、該第一の論理チャネルと該第二の論理チャネルが同じデータベアラに対応する。
【０１１８】
選択可能に、一つの実施例として、該方法２００はさらに該ネットワーク装置が該第一の端末装置の該第一の論理チャネルと第一の搬送波との対応関係、及び該第二の論理チャネルと第二の搬送波との対応関係を確定することと、該ネットワーク装置が該第一の論理チャネルと該第一の搬送波との対応関係、及び該第二の論理チャネルと該第二の搬送波との対応関係に基づいて、該第一の搬送波と該第一のグラントリソースとの対応関係及び該第二の搬送波と第二のグラントリソースとの対応関係を確定することと、該ネットワーク装置が該第一の端末装置へ第一の対応関係情報を送信し、第一の対応関係情報が、該第一の端末装置が該第一の搬送波と該第一のグラントリソースとの対応関係及び該第二の搬送波と第二のグラントリソースとの対応関係を確定することに用いられることとを含む。
【０１１９】
選択可能に、一つの実施例として、該ネットワーク装置が該第一の論理チャネルと該第一の搬送波との対応関係、及び該第二の論理チャネルと該第二の搬送波との対応関係を確定した後、該方法は、さらに該ネットワーク装置が該第一の端末装置へ第二の対応関係情報を送信し、該第二の対応関係情報が、該第一の端末装置が該第一の論理チャネルと該第一の搬送波との対応関係、及び該第二の論理チャネルと該第二の搬送波との対応関係を確定することに用いられることを含む。
【０１２０】
選択可能に、一つの実施例として、該第二の対応関係情報は第一の論理チャネルグループと該第一の搬送波との対応関係を含み、該第一の論理チャネルグループがｎ個の論理チャネルを含み、該ｎ個の論理チャネルが第一の論理チャネルを含み且つ該第二の論理チャネルを含まなく、ｎが１より大きい正整数であり、及び／又は、該第二の対応関係情報は第二の論理チャネルグループと該第二の搬送波との対応関係を含み、該第二の論理チャネルグループがｍ個の論理チャネルを含み、該ｍ個の論理チャネルが第二の論理チャネルを含み且つ第一の論理チャネルを含まなく、ｍが１より大きい正整数である。
【０１２１】
選択可能に、一つの実施例として、該ネットワーク装置が該第一の端末装置の該第一の論理チャネルと第一の搬送波との対応関係、及び該第二の論理チャネルと第二の搬送波との対応関係を確定することは、該ネットワーク装置が該第一の端末装置から送信された第三の対応関係情報を受信することと、該ネットワーク装置が該第三の対応関係情報に基づき、該第一の論理チャネルと該第一の搬送波との対応関係、及び該第二の論理チャネルと該第二の搬送波との対応関係を確定することとを含む。
【０１２２】
選択可能に、一つの実施例として、該第三の対応関係情報は第三の論理チャネルグループと該第一の搬送波との対応関係を含み、該第三の論理チャネルグループがｋ個の論理チャネルを含み、該ｋ個の論理チャネルが第一の論理チャネルを含み且つ該第二の論理チャネルを含まなく、ｋが１より大きい正整数であり、及び／又は、該第三の対応関係情報は第四の論理チャネルグループと該第二の搬送波との対応関係を含み、該第四の論理チャネルグループがＩ個の論理チャネルを含み、該Ｉ個の論理チャネルが第二の論理チャネルを含み且つ第一の論理チャネルを含まなく、Ｉが１より大きい正整数である。
【０１２３】
選択可能に、一つの実施例として、該方法２００は、さらに該ネットワーク装置が該第一の端末装置へ第四の対応関係情報を送信し、該第四の対応関係情報が該第一の論理チャネルと該第一のグラントリソースとの対応関係、及び該第二の論理チャネルと該第二のグラントリソースとの対応関係を含むことを含む。
【０１２４】
理解すべきものとして、該方法２００におけるネットワーク装置は方法１００におけるネットワーク装置に対応してもよく、方法２００における第一の端末装置は方法１００における第一の端末装置に対応してもよく、ここで説明を省略する。
【０１２５】
したがって、本出願の実施例のリソーススケジューリング方法では、ネットワーク装置は、端末装置に指示情報及びグラントリソースを送信し、これにより、端末装置は、複製データを伝送するためのグラントリソースを確定し、該グラントリソースを用いて他の端末装置へ複製データを伝送することができ、それによってＣＡシーンにおける複製データの伝送のためのリソース割り当てを実現する。
【０１２６】
理解すべきものとして、以上にＣＡシーンについて、ネットワーク装置が端末装置に端末装置とのデータ伝送のためのリソースを配置することを主に説明するが、以下に他の応用場面について説明する。
【０１２７】
図５は本出願の別の実施例によるリソーススケジューリング方法３００の概略フローチャートである。該方法３００は端末装置によって実行されてもよく、該端末装置は任意の一つの端末装置であってもよく、例えば図１に示す車載端末装置によって実行されてもよく、該車載端末装置が図１における車両１又は車両２であってもよい。
【０１２８】
図５に示すように、該方法３００は、第一の端末装置がネットワーク装置から送信された第一の対応関係情報とリソースグラント情報を受信し、該リソースグラント情報が、該ネットワーク装置によって該第一の端末装置に割り当てられたグラントリソースを示すことに用いられるＳ３１０と、該第一の端末装置が該第一の対応関係情報に基づき、該グラントリソースが特定ＴＴＩに基づいてデータを伝送するためのリソースであることを確定するＳ３２０と、該第一の端末装置が該特定ＴＴＩに対応するターゲット論理チャネルを確定するＳ３３０と、該第一の端末装置が該グラントリソースを用いて該第二の端末装置へ該ターゲット論理チャネルに搬送されるデータを送信するＳ３４０とを含む。
【０１２９】
理解すべきものとして、該第一の端末装置と第二の端末装置は任意の端末装置であってもよく、該第一の端末装置は一つ又は複数の端末装置、例えば一つのグループの端末装置であってもよく、同様に、該第二の端末装置は一つ又は複数の端末装置、例えば一つのグループの端末装置であってもよく、本出願の実施例はこれに限定されない。
【０１３０】
本出願の実施例では、第一の端末装置から第二の端末装置へのデータの送信のために占有されたグラントリソースは、ネットワーク装置により配置されてもよく、即ち該第一の端末装置は該ネットワーク装置によって配置されたグラントリソースに基づき、第二の端末装置へデータを送信する。例えば、該第一の端末装置はリリースＲｅｌ−１４に基づいて動作する端末装置であってもよく、該第一の端末装置はモード３であってもよい。
【０１３１】
本出願の実施例では、該第一の端末装置に論理チャネルに対応する特定ＴＴＩが存在する場合、ネットワーク装置によって該第一の端末装置に配置されたグラントリソースは該特定ＴＴＩに基づくグラントリソースであってもよい。具体的には、該第一の端末装置はネットワーク装置から送信された第一の対応関係情報とリソースグラント情報を受信し、該リソースグラント情報が該第一の端末装置に割り当てられたグラントリソースを示すことに用いられ、該第一の対応関係情報が、該グラントリソースが特定ＴＴＩに基づいてデータを伝送するためのリソースであることを示すことに用いられ、第一の端末装置は、該特定ＴＴＩに対応するターゲット論理チャネルを確定し、該グラントリソースを用いて特定ＴＴＩに基づいて第二の端末装置へ該ターゲット論理チャネルに対応するデータを送信することができる。
【０１３２】
理解すべきものとして、該特定ＴＴＩは任意の長さのＴＴＩであってもよく、例えば、該特定ＴＴＩは長さ１ｍｓのＴＴＩであってもよく、又は長さ１ｍｓ未満のｓＴＴＩであってもよく、例えば、該特定ＴＴＩの長さが０．５ｍｓであってもよい。ｓＴＴＩを使用することにより、遅延性能を向上させることができる。
【０１３３】
本出願の実施例では、該第一の端末装置に、特定ＴＴＩに基づいて伝送される必要があるデータが存在する場合、該第一の端末装置は該特定ＴＴＩに対応するターゲット論理チャネルをそれ自体で確定し、又はネットワーク装置によって該特定ＴＴＩに対応するターゲット論理チャネルを配置することができる。
【０１３４】
選択可能に、該第一の端末装置はネットワーク装置によってターゲット論理チャネルと特定ＴＴＩとの直接の対応関係を配置することができることは、第一の端末装置がネットワーク装置から送信された第二の対応関係情報を受信し、該第二の対応関係情報に基づいて特定ＴＴＩとターゲット論理チャネルとの対応関係を確定することを含むことができる。具体的には、ネットワーク装置は、第一の端末装置に、特定ＴＴＩで伝送される必要があるデータが存在することを確定することができ、ネットワーク装置は該第一の端末装置に論理チャネルとＴＴＩとの対応関係を配置することができ、それに特定ＴＴＩとターゲット論理チャネルとの対応関係が含まれてもよく、該第二の対応関係情報により、該第一の端末装置は特定ＴＴＩとターゲット論理チャネルとの対応関係を確定することができる。
【０１３５】
例えば、該第二の対応関係情報は複数の論理チャネルと特定ＴＴＩとの対応関係を含むことができ、該論理チャネルがいずれも該特定ＴＴＩに対応し、又は、該第二の対応関係情報は少なくとも一つの論理チャネルグループとＴＴＩとの対応関係を含むことができ、ここで該少なくとも一つの論理チャネルグループのうちの各論理チャネルグループに複数の論理チャネルが含まれてもよく、各論理チャネルグループにおける論理チャンるが同じＴＴＩに対応し、該少なくとも一つの論理チャネルグループに論理チャネルグループにおける論理チャネルグループがターゲット論理チャネルを含み、該ターゲット論理チャネルが特定ＴＴＩに対応する。また、例えば、該第二の対応関係情報はさらに該第一の端末装置における複数の論理チャネルとＴＴＩとの対応関係を含むことができ、異なる論理チャネルが異なるＴＴＩに対応してもよく、ここでターゲット論理チャネルが特定ＴＴＩに対応することを含むことができる。本出願の実施例はこれに限定されない。
【０１３６】
選択可能に、該第一の端末装置が該特定ＴＴＩに対応するターゲット論理チャネルをそれ自体で確定することは、第一の端末装置がＴＴＩと論理チャネルとの対応関係を確定し、それに特定ＴＴＩとターゲット論理チャネルとの対応関係が含まれてもよく、ネットワーク装置へ第三の対応関係情報を送信し、特定ＴＴＩとターゲット論理チャネルとの対応関係を該第三の対応関係情報で示すことを含むことができる。
【０１３７】
例えば、該第三の対応関係情報は複数の論理チャネルと特定ＴＴＩとの対応関係を含むことができ、該論理チャネルがいずれも該特定ＴＴＩに対応し、又は、該第三の対応関係情報は少なくとも一つの論理チャネルグループとＴＴＩとの対応関係を含むことができ、ここで該少なくとも一つの論理チャネルグループのうちの各論理チャネルグループに複数の論理チャネルが含まれてもよく、各論理チャネルグループにおける論理チャンるが同じＴＴＩに対応し、該少なくとも一つの論理チャネルグループに論理チャネルグループにおける論理チャネルグループがターゲット論理チャネルを含み、該ターゲット論理チャネルが特定ＴＴＩに対応する。また、例えば、該第三の対応関係情報はさらに該第一の端末装置における複数の論理チャネルとＴＴＩとの対応関係を含むことができ、異なる論理チャネルが異なるＴＴＩに対応してもよく、ここでターゲット論理チャネルが特定ＴＴＩに対応することを含むことができる。本出願の実施例はこれに限定されない。
【０１３８】
ネットワーク装置が第三の対応関係情報に基づき、第一の端末装置にターゲット論理チャネルに搬送されるデータが特定ＴＴＩに基づいて伝送される必要があることを確定することができるように、第一の端末装置は、該ネットワーク装置へ第三の対応関係情報を送信し、ネットワーク装置は該第三の対応関係に基づいて、第一の端末装置にグラントリソースを配置し、該グラントリソースが特定ＴＴＩに基づいて伝送されるリソースであり、第一の端末装置へ第一の対応関係情報を送信し、該第一の対応関係情報が特定ＴＴＩに基づく該グラントリソースの伝送に用いられる。
【０１３９】
したがって、本出願の実施例のリソーススケジューリング方法では、端末装置はネットワーク装置から送信されたグラントリソース、及び該グラントリソースと特定ＴＴＩとの関係を示すことができる対応関係情報を受信することができ、これにより、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現することができ、さらに伝送遅延を減らすことができる。
【０１４０】
以上に図５と組み合わせ、端末装置の観点から本出願の実施例によるリソーススケジューリング方法を詳細に説明し、以下に図６を組み合わせ、ネットワーク装置の観点から本出願の実施例によるリソーススケジューリング方法を説明する。
【０１４１】
図６は本出願の実施例によるリソーススケジューリング方法４００
の概略フローチャートである。該方法４００はネットワーク装置によって実行されてもよい。
【０１４２】
図６に示すように、該方法４００は、ネットワーク装置が第一の端末装置にグラントリソースを配置し、前記グラントリソースが特定の伝送時間間隔（ＴＴＩ）に基づいてデータを伝送するためのリソースであるＳ４１０と、前記ネットワーク装置が前記第一の端末装置へリソースグラント情報と第一の対応関係情報を送信し、前記リソースグラント情報が前記グラントリソースを示すことに用いられ、前記第一の対応関係情報が、前記第一の端末装置が前記特定ＴＴＩに対応するターゲット論理チャネルを確定することに用いられ、前記グラントリソースが、前記第一の端末装置が第二の端末装置へ、前記ターゲット論理チャネルに搬送されるデータを送信することに用いられるＳ４２０とを含む。
【０１４３】
したがって、本出願の実施例のリソーススケジューリング方法では、ネットワーク装置は端末装置へグラントリソースを送信し、対応関係情報によって該グラントリソースと特定ＴＴＩとの対応関係を示すことができ、これにより、該第一の端末装置は、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現し、さらに伝送遅延を減らすことができる。
【０１４４】
選択可能に、該方法４００はさらに該ネットワーク装置が該ターゲット論理チャネルと該特定ＴＴＩとの対応関係を確定することを含み、該ネットワーク装置が第一の端末装置にグラントリソースを配置することは、該ネットワーク装置が該ターゲット論理チャネルと該特定ＴＴＩとの対応関係に基づいて、該端末装置に該グラントリソースを配置することを含む。
【０１４５】
選択可能に、該ネットワーク装置が該ターゲット論理チャネルと該特定ＴＴＩとの対応関係を確定した後、該方法はさらに該ネットワーク装置が該第一の端末装置へ第二の対応関係情報を送信し、該第二の対応関係情報が、該第一の端末装置が該ターゲット論理チャネルと該特定ＴＴＩとの対応関係を確定することに用いられることを含む。
【０１４６】
選択可能に、該第二の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【０１４７】
選択可能に、該ネットワーク装置が該ターゲット論理チャネルと該特定ＴＴＩとの対応関係を確定することは、該ネットワーク装置が該第一の端末装置から送信された第三の対応関係情報を受信することと、該ネットワーク装置が該第三の対応関係情報に基づき、該ターゲット論理チャネルと該特定ＴＴＩとの対応関係を確定することとを含む。
【０１４８】
選択可能に、該第三の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【０１４９】
選択可能に、該特定ＴＴＩの長さが１ｍｓ未満である。
【０１５０】
理解すべきものとして、該方法４００におけるネットワーク装置は方法３００におけるネットワーク装置に対応してもよく、方法４００における第一の端末装置は方法３００における第一の端末装置に対応してもよく、ここで説明を省略する。
【０１５１】
したがって、本出願の実施例のリソーススケジューリング方法では、ネットワーク装置は端末装置へグラントリソースを送信し、対応関係情報によって該グラントリソースと特定ＴＴＩとの対応関係を示すことができ、これにより、該第一の端末装置は、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現し、さらに伝送遅延を減らすことができる。
【０１５２】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１５３】
以上に図１−図６を組み合わせて本出願の実施例によるリソーススケジューリング方法を詳細に説明したが、以下に図７−図１４を組み合わせて本出願の実施例による端末装置とネットワーク装置を説明する。
【０１５４】
図７に示すように、本出願の実施例による端末装置５００は受信ユニット５１０と送信ユニット５２０を備える。選択可能に、さらに確定ユニット５３０を備えることができる。
【０１５５】
具体的には、該受信ユニット５１０は、ネットワーク装置から送信された指示情報とリソースグラント情報を受信するように構成され、該リソースグラント情報が該ネットワーク装置によって該端末装置に割り当てられたグラントリソースを示すことに用いられ、該指示情報が、該グラントリソースがターゲット論理チャネルに搬送されるデータの送信に用いられることを示すことに用いられ、該送信ユニット５２０は、該指示情報と該リソースグラント情報に基づき、該グラントリソースを用いて第二の端末装置へ該ターゲット論理チャネルに搬送されるデータを送信するように構成される。
【０１５６】
したがって、本出願の実施例の端末装置では、ネットワーク装置から送信された指示情報及びグラントリソースを受信し、複製データの伝送に利用可能なグラントリソースを確定し、該グラントリソースを用いて他の端末装置へ複製データを伝送することで、ＣＡシーンにおける複製データの伝送のためのリソース割り当てを実現する。
【０１５７】
選択可能に、該指示情報は、該グラントリソースが異なる論理チャネルに対応する同じデータベアラの送信に用いられることを示し、該グラントリソースが第一のグラントリソースと第二のグラントリソースを含み、該ターゲット論理チャネルは第一の論理チャネルと第二の論理チャネルを含み、該送信ユニット５２０は、具体的に該第一のグラントリソースを用いて該第二の端末装置へ第一の論理チャネルに搬送される第一のデータを送信し、該第二のグラントリソースを用いて該第二の端末装置へ第二の論理チャネルに搬送される第二のデータを送信するように構成され、該第一の論理チャネルと該第二の論理チャネルが同じデータベアラに対応する。
【０１５８】
選択可能に、該確定ユニット５３０は、該送信ユニット５２０が該指示情報と該リソースグラント情報に基づき、該グラントリソースを用いて該第二の端末装置へ該ターゲット論理チャネルに搬送されるデータを送信する前に、該第一のグラントリソースと該第一の論理チャネルベアラとの第一の対応関係、及び該第二のグラントリソースと該第二の論理チャネルベアラとの第二の対応関係を確定するように構成される。
【０１５９】
選択可能に、該確定ユニット５３０は具体的に該第一の論理チャネルと第一の搬送波との対応関係、及び該第二の論理チャネルと第二の搬送波との対応関係を確定するように構成され、該受信ユニット５１０は具体的に該ネットワーク装置から送信された第一の対応関係情報を受信するように構成され、該確定ユニット５３０は具体的に該第一の対応関係情報に基づき、該第一の搬送波と該第一のグラントリソースとの対応関係及び該第二の搬送波と第二のグラントリソースとの対応関係を確定し、該第一の論理チャネルと該第一の搬送波との対応関係及び該第一の搬送波と該第一のグラントリソースとの対応関係に基づいて、該第一の対応関係を確定し、該第二の論理チャネルと該第二の搬送波との対応関係及び該第二の搬送波と該第二のグラントリソースとの対応関係に基づいて、該第二の対応関係を確定するように構成される。
【０１６０】
選択可能に、該受信ユニット５１０は具体的に該ネットワーク装置から送信された第二の対応関係情報を受信するように構成され、該確定ユニット５３０は具体的に該第二の対応関係情報に基づき、該第一の論理チャネルと該第一の搬送波との対応関係及び該第二の論理チャネルと該第二の搬送波との対応関係を確定するように構成される。
【０１６１】
選択可能に、該第二の対応関係情報は第一の論理チャネルグループと該第一の搬送波との対応関係を含み、該第一の論理チャネルグループがｎ個の論理チャネルを含み、該ｎ個の論理チャネルが該第一の論理チャネルを含み且つ該第二の論理チャネルを含まなく、ｎが１より大きい正整数であり、及び／又は、該第二の対応関係情報は第二の論理チャネルグループと該第二の搬送波との対応関係を含み、該第二の論理チャネルグループがｍ個の論理チャネルを含み、該ｍ個の論理チャネルが該第二の論理チャネルを含み且つ該第一の論理チャネルを含まなく、ｍが１より大きい正整数である。
【０１６２】
選択可能に、該送信ユニット５２０は具体的に該確定ユニット５３０が該第一の論理チャネルと第一の搬送波との対応関係、及び該第二の論理チャネルと第二の搬送波との対応関係を確定した後、該ネットワーク装置へ第三の対応関係情報を送信するように構成され、該第三の対応関係情報が該第一の論理チャネルと該第一の搬送波との対応関係、及び該第二の論理チャネルと該第二の搬送波との対応関係を確定するために該ネットワーク装置によって使用され、該受信ユニット５１０は具体的に該ネットワーク装置から送信された、該第三の対応関係に基づいて確定された該第一の対応関係情報を受信するように構成される。
【０１６３】
選択可能に、該第三の対応関係情報は第三の論理チャネルグループと該第一の搬送波との対応関係を含み、該第三の論理チャネルグループがｋ個の論理チャネルを含み、該ｋ個の論理チャネルが該第一の論理チャネルを含み且つ該第二の論理チャネルを含まなく、ｋが１より大きい正整数であり、及び／又は、該第三の対応関係情報は第四の論理チャネルグループと該第二の搬送波との対応関係を含み、該第四の論理チャネルグループがＩ個の論理チャネルを含み、該Ｉ個の論理チャネルが該第二の論理チャネルを含み且つ第一の論理チャネルを含まなく、Ｉが１より大きい正整数である。
【０１６４】
選択可能に、該確定ユニット５３０は具体的に該ネットワーク装置から送信された第四の対応関係情報を受信し、該第四の対応関係情報に基づき、該第一の対応関係及び該第二の対応関係を確定するように構成される。
【０１６５】
理解すべきものとして、本出願の実施例による端末装置５００は本出願の実施例における方法１００を実行するための端末装置に対応してもよく、且つ端末装置５００の各ユニットの上記と他の操作及び／又は機能はそれぞれ図１−図４の各方法における第一の端末装置の対応するプロセスを実現するためのものであり、簡潔するために、ここでは説明を省略する。
【０１６６】
したがって、本出願の実施例の端末装置では、ネットワーク装置から送信された指示情報及びグラントリソースを受信し、複製データの伝送に利用可能なグラントリソースを確定し、該グラントリソースを用いて他の端末装置へ複製データを伝送することで、ＣＡシーンにおける複製データの伝送のためのリソース割り当てを実現する。
【０１６７】
図８に示すように、本出願の実施例によるネットワーク装置６００は処理ユニット６１０と送信ユニット６２０を備える。選択可能に、さらに受信ユニット６３０を備えることができる。
【０１６８】
具体的には、該処理ユニット６１０は、第一の端末装置にグラントリソースを配置するように構成され、該グラントリソースが第二の端末装置へデータを送信するために該第一の端末装置によって使用され、該送信ユニット６２９は、該第一の端末装置へリソースグラント情報と指示情報を送信するように構成され、該リソースグラント情報が該グラントリソースを示すことに用いられ、該指示情報が、該グラントリソースがターゲット論理チャネルに搬送されるデータの送信に用いられることを示すことに用いられる。
【０１６９】
したがって、本出願の実施例によるネットワーク装置では、端末装置に送信された指示情報及びグラントリソースにより、端末装置は、複製データを伝送するためのグラントリソースを確定し、該グラントリソースを用いて他の端末装置へ複製データを伝送することができ、それによってＣＡシーンにおける複製データの伝送のためのリソース割り当てを実現する。
【０１７０】
選択可能に、該指示情報は、該グラントリソースが異なる論理チャネルに対応する同じデータベアラの送信に用いられることを示し、該グラントリソースが第一のグラントリソースと第二のグラントリソースを含み、該ターゲット論理チャネルは第一の論理チャネルと第二の論理チャネルを含み、該第一のグラントリソースが、該第一の端末装置が該第二の端末装置へ第一の論理チャネルに搬送される第一のデータを送信することに用いられ、該第二のグラントリソースが、該第一の端末装置が該第二の端末装置へ第二の論理チャネルに搬送される第二のデータを送信することに用いられ、該第一の論理チャネルと該第二の論理チャネルが同じデータベアラに対応する。
【０１７１】
選択可能に、該処理ユニット６１０は具体的に該第一の端末装置の該第一の論理チャネルと第一の搬送波との対応関係、及び該第二の論理チャネルと第二の搬送波との対応関係を確定し、該第一の論理チャネルと該第一の搬送波との対応関係、及び該第二の論理チャネルと該第二の搬送波との対応関係に基づいて、該第一の搬送波と該第一のグラントリソースとの対応関係及び該第二の搬送波と第二のグラントリソースとの対応関係を確定するように構成され、該送信ユニット６２０は具体的に該第一の端末装置へ第一の対応関係情報を送信するように構成され、第一の対応関係情報が、該第一の端末装置が該第一の搬送波と該第一のグラントリソースとの対応関係及び該第二の搬送波と第二のグラントリソースとの対応関係を確定することに用いられる。
【０１７２】
選択可能に、該送信ユニット６２０は具体的に、該処理ユニット６１０が該第一の論理チャネルと該第一の搬送波との対応関係、及び該第二の論理チャネルと該第二の搬送波との対応関係を確定した後、該第一の端末装置へ第二の対応関係情報を送信するように構成され、該第二の対応関係情報が、該第一の端末装置が該第一の論理チャネルと該第一の搬送波との対応関係、及び該第二の論理チャネルと該第二の搬送波との対応関係を確定することに用いられる。
【０１７３】
選択可能に、該第二の対応関係情報は第一の論理チャネルグループと該第一の搬送波との対応関係を含み、該第一の論理チャネルグループがｎ個の論理チャネルを含み、該ｎ個の論理チャネルが第一の論理チャネルを含み且つ該第二の論理チャネルを含まなく、ｎが１より大きい正整数であり、及び／又は、該第二の対応関係情報は第二の論理チャネルグループと該第二の搬送波との対応関係を含み、該第二の論理チャネルグループがｍ個の論理チャネルを含み、該ｍ個の論理チャネルが第二の論理チャネルを含み且つ第一の論理チャネルを含まなく、ｍが１より大きい正整数である。
【０１７４】
選択可能に、該受信ユニット６３０は該第一の端末装置から送信された第三の対応関係情報を受信するように構成され、該処理ユニット６１０は具体的に該第三の対応関係情報に基づき、該第一の論理チャネルと該第一の搬送波との対応関係及び該第二の論理チャネルと該第二の搬送波との対応関係を確定するように構成される。
【０１７５】
選択可能に、該第三の対応関係情報は第三の論理チャネルグループと該第一の搬送波との対応関係を含み、該第三の論理チャネルグループがｋ個の論理チャネルを含み、該ｋ個の論理チャネルが第一の論理チャネルを含み且つ該第二の論理チャネルを含まなく、ｋが１より大きい正整数であり、及び／又は、該第三の対応関係情報は第四の論理チャネルグループと該第二の搬送波との対応関係を含み、該第四の論理チャネルグループがＩ個の論理チャネルを含み、該Ｉ個の論理チャネルが第二の論理チャネルを含み且つ第一の論理チャネルを含まなく、Ｉが１より大きい正整数である。
【０１７６】
選択可能に、該送信ユニット６２０は具体的に該第一の端末装置へ第四の対応関係情報を送信するように構成され、該第四の対応関係情報が該第一の論理チャネルと該第一のグラントリソースとの対応関係、及び該第二の論理チャネルと該第二のグラントリソースとの対応関係を含む。
【０１７７】
理解すべきものとして、本出願の実施例によるネットワーク装置６００は本出願の方法の実施例における方法２００を実行するためのネットワーク装置に対応してもよく、且つネットワーク装置６００の各ユニットの上記と他の操作及び／又は機能はそれぞれ図１−図４の各方法におけるネットワーク装置の対応するプロセスを実現するためのものであり、簡潔するために、ここでは説明を省略する。
【０１７８】
したがって、本出願の実施例によるネットワーク装置では、端末装置に送信された指示情報及びグラントリソースにより、端末装置は、複製データを伝送するためのグラントリソースを確定し、該グラントリソースを用いて他の端末装置へ複製データを伝送することができ、それによってＣＡシーンにおける複製データの伝送のためのリソース割り当てを実現する。
【０１７９】
図９に示すように、本出願の実施例による端末装置７００は受信ユニット７１０、確定ユニット７２０と送信ユニット７３０を備える。
【０１８０】
具体的には、受信ユニット７１０は、ネットワーク装置から送信された第一の対応関係情報とリソースグラント情報を受信するように構成され、該リソースグラント情報が該ネットワーク装置によって該端末装置に割り当てられたグラントリソースを示すことに用いられ、確定ユニット７２０は、該第一の対応関係情報に基づき、該グラントリソースが特定の伝送時間間隔（ＴＴＩ）に基づいてデータを伝送するためのリソースであることを確定するように構成され、該確定ユニット７２０はさらに該特定ＴＴＩに対応するターゲット論理チャネルを確定するように構成され、送信ユニット７３０は、該グラントリソースを用いて該第二の端末装置へ該ターゲット論理チャネルに搬送されるデータを送信するように構成される。
【０１８１】
したがって、本出願の実施例の端末装置では、ネットワーク装置から送信されたグラントリソース、及び該グラントリソースと特定ＴＴＩとの関係を示すことができる対応関係情報を受信することができ、これにより、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現することができ、さらに伝送遅延を減らすことができる。
【０１８２】
選択可能に、該確定ユニット７２０は具体的に該特定ＴＴＩに対応するターゲット論理チャネルを確定する前に、該ターゲット論理チャネルと該特定ＴＴＩとの対応関係を確定するように構成される。
【０１８３】
選択可能に、該受信ユニット７１０は具体的に該ネットワーク装置から送信された第二の対応関係情報を受信するように構成され、該確定ユニット７２０は具体的に該第二の対応関係情報に基づき、該ターゲット論理チャネルと該特定ＴＴＩとの対応関係を確定するように構成される。
【０１８４】
選択可能に、該第二の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【０１８５】
選択可能に、該送信ユニット７３０は具体的に、該確定ユニット７２０が該ターゲット論理チャネルと該特定ＴＴＩとの対応関係を確定した後、該ネットワーク装置へ第三の対応関係情報を送信するように構成され、該第三の対応関係情報が該ターゲット論理チャネルと該特定ＴＴＩとの対応関係及び該第一の対応関係情報を確定するためにネットワーク装置よって使用される。
【０１８６】
選択可能に、該第三の対応関係情報は、少なくとも一つの論理チャネルグループと該特定ＴＴＩとの対応関係を含み、該少なくとも一つの論理チャネルグループ内の各論理チャネルグループが複数の論理チャネルを含み、該複数の論理チャネルが同じＴＴＩに対応する。
【０１８７】
選択可能に、該特定ＴＴＩの長さが１ｍｓ未満である。
【０１８８】
理解すべきものとして、本出願の実施例による端末装置７００は本出願の方法の実施例における方法３００を実行するための端末装置に対応してもよく、且つ端末装置７００の各ユニットの上記と他の操作及び／又は機能はそれぞれ図５及び図６の各方法における第一の端末装置の対応するプロセスを実現するためのものであり、簡潔するために、ここでは説明を省略する。
【０１８９】
したがって、本出願の実施例の端末装置では、ネットワーク装置から送信されたグラントリソース、及び該グラントリソースと特定ＴＴＩとの関係を示すことができる対応関係情報を受信することができ、これにより、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現することができ、さらに伝送遅延を減らすことができる。
【０１９０】
図１０に示すように、本出願の実施例によるネットワーク装置８００は処理ユニット８１０と送信ユニット８２０を備える。選択可能に、さらに受信ユニット８３０を備えることができる。
【０１９１】
具体的には、処理ユニット８１０は、第一の端末装置にグラントリソースを配置するように構成され、該グラントリソースが特定の伝送時間間隔（ＴＴＩ）に基づいてデータを伝送するためのリソースであり、送信ユニット８２０は、該第一の端末装置へリソースグラント情報と第一の対応関係情報を送信するように構成され、該第一のリソースグラント情報が該グラントリソースを示すことに用いられ、該第一の対応関係情報が、該第一の端末装置が該特定ＴＴＩに対応するターゲット論理チャネルを確定することに用いられ、該グラントリソースが、該第一の端末装置が第二の端末装置へ該ターゲット論理チャネルに搬送されるデータを送信することに用いられる。
【０１９２】
したがって、本出願の実施例のネットワーク装置では、端末装置へグラントリソースを送信し、対応関係情報によって該グラントリソースと特定ＴＴＩとの対応関係を示すことができ、これにより、該第一の端末装置は、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現し、さらに伝送遅延を減らすことができる。
【０１９３】
選択可能に、該処理ユニット８１０は具体的に該ターゲット論理チャネルと該特定ＴＴＩとの対応関係を確定し、該ターゲット論理チャネルと該特定ＴＴＩとの対応関係に基づいて、該端末装置に該グラントリソースを配置するように構成される。
【０１９４】
選択可能に、該送信ユニット８２０は具体的に、該処理ニット８１０が該ターゲット論理チャネルと該特定ＴＴＩとの対応関係を確定した後、該第一の端末装置へ第二の対応関係情報を送信するように構成され、該第二の対応関係情報が、該第一の端末装置が該ターゲット論理チャネルと該特定ＴＴＩとの対応関係を確定することに用いられる。
【０１９５】
選択可能に、該第二の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【０１９６】
選択可能に、該受信ユニット８３０は具体的に該第一の端末装置から送信された第三の対応関係情報を受信するように構成され、該処理ユニット８１０は具体的に該第三の対応関係情報に基づき、該ターゲット論理チャネルと該特定ＴＴＩとの対応関係を確定するように構成される。
【０１９７】
選択可能に、該第三の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【０１９８】
選択可能に、該特定ＴＴＩの長さが１ｍｓ未満である。
【０１９９】
理解すべきものとして、本出願の実施例によるネットワーク装置８００は本出願の方法の実施例における方法４００を実行するためのネットワーク装置に対応してもよく、且つネットワーク装置８００の各ユニットの上記と他の操作及び／又は機能はそれぞれ図５−図６の各方法におけるネットワーク装置の対応するプロセスを実現するためのものであり、簡潔するために、ここでは説明を省略する。
【０２００】
したがって、本出願の実施例のネットワーク装置では、端末装置へグラントリソースを送信し、対応関係情報によって該グラントリソースと特定ＴＴＩとの対応関係を示すことができ、これにより、該第一の端末装置は、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現し、さらに伝送遅延を減らすことができる。
【０２０１】
図１１は本出願の実施例による端末装置９００を示す概略ブロック図である。図１１に示すように、該端末装置９００はプロセッサ９１０と送受信機９２０を備え、プロセッサ９１０が送受信機９２０に接続され、選択可能に、該端末装置９００はさらにメモリ９３０を備え、メモリ９３０がプロセッサ９１０に接続される。ここで、プロセッサ９１０、メモリ９３０と送受信機９２０は内部接続パスを介して相互に通信し、制御及び／又はデータ信号を伝送し、該メモリ９３０は命令を記憶するように構成されてもよく、プロセッサ９１０は該メモリ９３０に記憶された命令を実行し、情報又は信号を送信するように送受信機９２０を制御するように構成され、該送受信機９２０は、ネットワーク装置から送信された指示情報とリソースグラント情報を受信し、該リソースグラント情報が該ネットワーク装置によって該端末装置に割り当てられたグラントリソースを示すことに用いられ、該指示情報が、該グラントリソースがターゲット論理チャネルに搬送されるデータの送信に用いられることを示すことに用いられ、該指示情報と該リソースグラント情報に基づき、該グラントリソースを用いて第二の端末装置へ該ターゲット論理チャネルに搬送されるデータを送信するように構成される。
【０２０２】
したがって、本出願の実施例の端末装置では、ネットワーク装置から送信された指示情報及びグラントリソースを受信し、複製データの伝送に利用可能なグラントリソースを確定し、該グラントリソースを用いて他の端末装置へ複製データを伝送することで、ＣＡシーンにおける複製データの伝送のためのリソース割り当てを実現する。
【０２０３】
選択可能に、該指示情報は、該グラントリソースが異なる論理チャネルに対応する同じデータベアラの送信に利用可能であることを示し、該グラントリソースが第一のグラントリソースと第二のグラントリソースを含み、該ターゲット論理チャネルは第一の論理チャネルと第二の論理チャネルを含み、該送受信機９２０は、該第一のグラントリソースを用いて該第二の端末装置へ第一の論理チャネルに搬送される第一のデータを送信し、該第二のグラントリソースを用いて該第二の端末装置へ第二の論理チャネルに搬送される第二のデータを送信するように構成され、該第一の論理チャネルと該第二の論理チャネルが同じデータベアラに対応する。
【０２０４】
選択可能に、該プロセッサ９１０は、該送受信機９２０が該指示情報と該リソースグラント情報に基づき、該グラントリソースを用いて該第二の端末装置へ該ターゲット論理チャネルに搬送されるデータを送信する前に、該第一のグラントリソースと該第一の論理チャネルベアラとの第一の対応関係、及び該第二のグラントリソースと該第二の論理チャネルベアラとの第二の対応関係を確定するように構成される。
【０２０５】
選択可能に、該プロセッサ９１０は該第一の論理チャネルと第一の搬送波との対応関係、及び該第二の論理チャネルと第二の搬送波との対応関係を確定するように構成され、該送受信機９２０は該ネットワーク装置から送信された第一の対応関係情報を受信するように構成され、該処理ユニット９１０は該第一の対応関係情報に基づき、該第一の搬送波と該第一のグラントリソースとの対応関係及び該第二の搬送波と第二のグラントリソースとの対応関係を確定し、該第一の論理チャネルと該第一の搬送波との対応関係及び該第一の搬送波と該第一のグラントリソースとの対応関係に基づいて、該第一の対応関係を確定し、該第二の論理チャネルと該第二の搬送波との対応関係及び該第二の搬送波と該第二のグラントリソースとの対応関係に基づいて、該第二の対応関係を確定するように構成される。
【０２０６】
選択可能に、該送受信機９２０は該ネットワーク装置から送信された第二の対応関係情報を受信するように構成され、該プロセッサ９１０は該第二の対応関係情報に基づき、該第一の論理チャネルと該第一の搬送波との対応関係及び該第二の論理チャネルと該第二の搬送波との対応関係を確定するように構成される。
【０２０７】
選択可能に、該第二の対応関係情報は第一の論理チャネルグループと該第一の搬送波との対応関係を含み、該第一の論理チャネルグループがｎ個の論理チャネルを含み、該ｎ個の論理チャネルが該第一の論理チャネルを含み且つ該第二の論理チャネルを含まなく、ｎが１より大きい正整数であり、及び／又は、該第二の対応関係情報は第二の論理チャネルグループと該第二の搬送波との対応関係を含み、該第二の論理チャネルグループがｍ個の論理チャネルを含み、該ｍ個の論理チャネルが該第二の論理チャネルを含み且つ該第一の論理チャネルを含まなく、ｍが１より大きい正整数である。
【０２０８】
選択可能に、該送受信機９２０は該プロセッサ９１０が該第一の論理チャネルと第一の搬送波との対応関係、及び該第二の論理チャネルと第二の搬送波との対応関係を確定した後、該ネットワーク装置へ第三の対応関係情報を送信するように構成され、該第三の対応関係情報が該第一の論理チャネルと該第一の搬送波との対応関係、及び該第二の論理チャネルと該第二の搬送波との対応関係を確定するために該ネットワーク装置によって使用され、該ネットワーク装置から送信された、該第三の対応関係に基づいて確定された該第一の対応関係情報を受信するように構成される。
【０２０９】
選択可能に、該第三の対応関係情報は第三の論理チャネルグループと該第一の搬送波との対応関係を含み、該第三の論理チャネルグループがｋ個の論理チャネルを含み、該ｋ個の論理チャネルが該第一の論理チャネルを含み且つ該第二の論理チャネルを含まなく、ｋが１より大きい正整数であり、及び／又は、該第三の対応関係情報は第四の論理チャネルグループと該第二の搬送波との対応関係を含み、該第四の論理チャネルグループがＩ個の論理チャネルを含み、該Ｉ個の論理チャネルが該第二の論理チャネルを含み且つ第一の論理チャネルを含まなく、Ｉが１より大きい正整数である。
【０２１０】
選択可能に、該プロセッサ９１０は該ネットワーク装置から送信された第四の対応関係情報を受信し、該第四の対応関係情報に基づき、該第一の対応関係及び該第二の対応関係を確定するように構成される。
【０２１１】
理解すべきものとして、本出願の実施例による端末装置９００は本出願の実施例における端末装置５００に対応してもよく、本出願の実施例による方法１００を実行するための該当する本体に対応してもよく、端末装置９００における各ユニットの上記と他の操作及び／又は機能はそれぞれ図１−図４の各方法における第一の端末装置の対応するプロセスを実現するためのものであり、簡潔するために、ここでは説明を省略する。
【０２１２】
したがって、本出願の実施例の端末装置では、ネットワーク装置から送信された指示情報及びグラントリソースを受信し、複製データの伝送に利用可能なグラントリソースを確定し、該グラントリソースを用いて他の端末装置へ複製データを伝送することで、ＣＡシーンにおける複製データの伝送のためのリソース割り当てを実現する。
【０２１３】
図１２は本出願の実施例によるネットワーク装置１０００を示す概略ブロック図である。図１２に示すように、該ネットワーク装置１０００はプロセッサ１０１０と送受信機１０２０を備え、プロセッサ１０１０が送受信機１０２０に接続され、選択可能に、該ネットワーク装置１０００はさらにメモリ１０３０を備え、メモリ１０３０がプロセッサ１０１０に接続される。ここで、プロセッサ１０１０、メモリ１０３０と送受信機１０２０は内部接続パスを介して相互に通信し、制御及び／又はデータ信号を伝送し、該メモリ１０３０は命令を記憶するように構成されてもよく、該プロセッサ１０１０は該メモリ１０３０に記憶された命令を実行し、情報又は信号を送信するように送受信機１０２０を制御するように構成され、該プロセッサ１０１０は第一の端末装置にグラントリソースを配置するように構成され、該グラントリソースが第二の端末装置へデータを送信するために該第一の端末装置によって使用され、該送受信機１０２０は、第一の端末装置にグラントリソースを配置し、該グラントリソースが第二の端末装置へデータを送信するために該第一の端末装置によって使用され、該第一の端末装置へリソースグラント情報と指示情報を送信するように構成され、該リソースグラント情報が該グラントリソースを示すことに用いられ、該指示情報が、該グラントリソースがターゲット論理チャネルに搬送されるデータの送信に用いられることを示すことに用いられる。
【０２１４】
したがって、本出願の実施例によるネットワーク装置では、端末装置に送信された指示情報及びグラントリソースにより、端末装置は、複製データを伝送するためのグラントリソースを確定し、該グラントリソースを用いて他の端末装置へ複製データを伝送することができ、それによってＣＡシーンにおける複製データの伝送のためのリソース割り当てを実現する。
【０２１５】
選択可能に、該指示情報は、該グラントリソースが異なる論理チャネルに対応する同じデータベアラの送信に利用可能であることを示し、該グラントリソースが第一のグラントリソースと第二のグラントリソースを含み、該ターゲット論理チャネルは第一の論理チャネルと第二の論理チャネルを含み、該第一のグラントリソースが、該第一の端末装置が該第二の端末装置へ第一の論理チャネルに搬送される第一のデータを送信することに用いられ、該第二のグラントリソースが、該第一の端末装置が該第二の端末装置へ第二の論理チャネルに搬送される第二のデータを送信することに用いられ、該第一の論理チャネルと該第二の論理チャネルが同じデータベアラに対応する。
【０２１６】
選択可能に、該処理ユニット１０１０は該第一の端末装置の該第一の論理チャネルと第一の搬送波との対応関係、及び該第二の論理チャネルと第二の搬送波との対応関係を確定し、該第一の論理チャネルと該第一の搬送波との対応関係、及び該第二の論理チャネルと該第二の搬送波との対応関係に基づいて、該第一の搬送波と該第一のグラントリソースとの対応関係及び該第二の搬送波と第二のグラントリソースとの対応関係を確定するように構成され、該送受信機１０２０は該第一の端末装置へ第一の対応関係情報を送信するように構成され、第一の対応関係情報が、該第一の端末装置が該第一の搬送波と該第一のグラントリソースとの対応関係及び該第二の搬送波と第二のグラントリソースとの対応関係を確定することに用いられる。
【０２１７】
選択可能に、該送受信機１０２０は該プロセッサ１０１０が該第一の論理チャネルと該第一の搬送波との対応関係、及び該第二の論理チャネルと該第二の搬送波との対応関係を確定した後、該第一の端末装置へ第二の対応関係情報を送信するように構成され、該第二の対応関係情報が、該第一の端末装置が該第一の論理チャネルと該第一の搬送波との対応関係、及び該第二の論理チャネルと該第二の搬送波との対応関係を確定することに用いられる。
【０２１８】
選択可能に、該第二の対応関係情報は第一の論理チャネルグループと該第一の搬送波との対応関係を含み、該第一の論理チャネルグループがｎ個の論理チャネルを含み、該ｎ個の論理チャネルが第一の論理チャネルを含み且つ該第二の論理チャネルを含まなく、ｎが１より大きい正整数であり、及び／又は、該第二の対応関係情報は第二の論理チャネルグループと該第二の搬送波との対応関係を含み、該第二の論理チャネルグループがｍ個の論理チャネルを含み、該ｍ個の論理チャネルが第二の論理チャネルを含み且つ第一の論理チャネルを含まなく、ｍが１より大きい正整数である。
【０２１９】
選択可能に、該送受信機１０２０は該第一の端末装置から送信された第三の対応関係情報を受信するように構成され、該プロセッサ１０１０は該第三の対応関係情報に基づき、該第一の論理チャネルと該第一の搬送波との対応関係、及び該第二の論理チャネルと該第二の搬送波との対応関係を確定するように構成される。
【０２２０】
選択可能に、該第三の対応関係情報は第三の論理チャネルグループと該第一の搬送波との対応関係を含み、該第三の論理チャネルグループがｋ個の論理チャネルを含み、該ｋ個の論理チャネルが第一の論理チャネルを含み且つ該第二の論理チャネルを含まなく、ｋが１より大きい正整数であり、及び／又は、該第三の対応関係情報は第四の論理チャネルグループと該第二の搬送波との対応関係を含み、該第四の論理チャネルグループがＩ個の論理チャネルを含み、該Ｉ個の論理チャネルが第二の論理チャネルを含み且つ第一の論理チャネルを含まなく、Ｉが１より大きい正整数である。
【０２２１】
選択可能に、該送受信機１０２０は該第一の端末装置へ第四の対応関係情報を送信するように構成され、該第四の対応関係情報が該第一の論理チャネルと該第一のグラントリソースとの対応関係、及び該第二の論理チャネルと該第二のグラントリソースとの対応関係を含む。
【０２２２】
理解すべきものとして、本出願の実施例によるネットワーク装置１０００は本出願の実施例におけるネットワーク装置６００に対応してもよく、本出願の実施例による方法１００を実行するための該当する本体に対応してもよく、ネットワーク装置１０００における各ユニットの上記と他の操作及び／又は機能はそれぞれ図１−図４の各方法におけるネットワーク装置の対応するプロセスを実現するためのものであり、簡潔するために、ここでは説明を省略する。
【０２２３】
したがって、本出願の実施例によるネットワーク装置では、端末装置に送信された指示情報及びグラントリソースにより、端末装置は、複製データを伝送するためのグラントリソースを確定し、該グラントリソースを用いて他の端末装置へ複製データを伝送することができ、それによってＣＡシーンにおける複製データの伝送のためのリソース割り当てを実現する。
【０２２４】
図１３は本出願の実施例による端末装置１１００を示す概略ブロック図である。図１３に示すように、該端末装置１１００はプロセッサ１１１０と送受信機１１２０を備え、プロセッサ１１１０が送受信機１１２０に接続され、選択可能に、該端末装置１１００はさらにメモリ１１３０を備え、メモリ１１３０がプロセッサ１１１０に接続される。ここで、プロセッサ１１１０、メモリ１１３０と送受信機１１２０は内部接続パスを介して相互に通信し、制御及び／又はデータ信号を伝送し、該メモリ１１３０は命令を記憶するように構成されてもよく、該プロセッサ１１１０は該メモリ１１３０に記憶された命令を実行し、情報又は信号を送信するように送受信機１１２０を制御するように構成され、該送受信機１１２０は、ネットワーク装置から送信された第一の対応関係とリソースグラント情報を受信するように構成され、該リソースグラント情報が該ネットワーク装置によって該端末装置に割り当てられたグラントリソースを示すことに用いられ、該プロセッサ１１１０は、該第一の対応関係情報に基づき、該グラントリソースが特定の伝送時間間隔（ＴＴＩ）に基づいてデータを伝送するためのリソースであることを確定するように構成され、該プロセッサ１１１０は、該特定ＴＴＩに対応するターゲット論理チャネルを確定するように構成され、該送受信機１１２０は該グラントリソースを用いて該第二の端末装置へ該ターゲット論理チャネルに搬送されるデータを送信するように構成される。
【０２２５】
したがって、本出願の実施例の端末装置では、ネットワーク装置から送信されたグラントリソース、及び該グラントリソースと特定ＴＴＩとの関係を示すことができる対応関係情報を受信することができ、これにより、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現することができ、さらに伝送遅延を減らすことができる。
【０２２６】
選択可能に、該プロセッサ１１１０は該特定ＴＴＩに対応するターゲット論理チャネルを確定する前に、該ターゲット論理チャネルと該特定ＴＴＩとの対応関係を確定するように構成される。
【０２２７】
選択可能に、該送受信機１１２０は該ネットワーク装置から送信された第二の対応関係情報を受信するように構成され、該プロセッサ１１１０は該第二の対応関係情報に基づき、該ターゲット論理チャネルと該特定ＴＴＩとの対応関係を確定するように構成される。
【０２２８】
選択可能に、該第二の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【０２２９】
選択可能に、該送受信機１１２０は、該プロセッサ１１１０が該ターゲット論理チャネルと該特定ＴＴＩとの対応関係を確定した後、該ネットワーク装置へ第三の対応関係情報を送信するように構成され、該第三の対応関係情報が該ターゲット論理チャネルと該特定ＴＴＩとの対応関係及び該第一の対応関係情報を確定するためにネットワーク装置よって使用される。
【０２３０】
選択可能に、該第三の対応関係情報は、少なくとも一つの論理チャネルグループと該特定ＴＴＩとの対応関係を含み、該少なくとも一つの論理チャネルグループ内の各論理チャネルグループが複数の論理チャネルを含み、該複数の論理チャネルが同じＴＴＩに対応する。
【０２３１】
選択可能に、該特定ＴＴＩの長さが１ｍｓ未満である。
【０２３２】
理解すべきものとして、本出願の実施例による端末装置１１００は本出願の実施例における端末装置７００に対応してもよく、本出願の実施例による方法３００を実行するための該当する本体に対応してもよく、端末装置１１００における各ユニットの上記と他の操作及び／又は機能はそれぞれ図５−図６の各方法における第一の端末装置の対応するプロセスを実現するためのものであり、簡潔するために、ここでは説明を省略する。
【０２３３】
したがって、本出願の実施例の端末装置では、ネットワーク装置から送信されたグラントリソース、及び該グラントリソースと特定ＴＴＩとの関係を示すことができる対応関係情報を受信することができ、これにより、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現することができ、さらに伝送遅延を減らすことができる。
【０２３４】
図１４は本出願の実施例によるネットワーク装置１２００を示す概略ブロック図である。図１４に示すように、該ネットワーク装置１２００はプロセッサ１２１０と送受信機１２２０を備え、プロセッサ１２１０が送受信機１２２０に接続され、選択可能に、該ネットワーク装置１２００はさらにメモリ１２３０を備え、メモリ１２３０がプロセッサ１２１０に接続される。ここで、プロセッサ１２１０、メモリ１２３０と送受信機１２２０は内部接続パスを介して相互に通信し、制御及び／又はデータ信号を伝送し、該メモリ１２３０は命令を記憶するように構成されてもよく、該プロセッサ１２１０は、該メモリ１２３０に記憶された命令を実行し、情報又は信号を送信するように送受信機１２２０を制御するように構成され、該プロセッサ１２１０は第一の端末装置にグラントリソースを配置するように構成され、該グラントリソースが特定の伝送時間間隔（ＴＴＩ）に基づいてデータを伝送するためのリソースであり、該送受信機１２２０は該第一の端末装置へリソースグラント情報と第一の対応関係情報を送信するように構成され、該リソースグラント情報が該グラントリソースを示すことに用いられ、該第一の対応関係情報が、該第一の端末装置が該特定ＴＴＩに対応するターゲット論理チャネルを確定することに用いられ、該グラントリソースが、該第一の端末装置が第二の端末装置へ該ターゲット論理チャネルに搬送されるデータを送信することに用いられる。
【０２３５】
したがって、本出願の実施例のネットワーク装置では、端末装置へグラントリソースを送信し、対応関係情報によって該グラントリソースと特定ＴＴＩとの対応関係を示すことができ、これにより、該第一の端末装置は、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現し、さらに伝送遅延を減らすことができる。
【０２３６】
選択可能に、該プロセッサ１２１０は、該ターゲット論理チャネルと該特定ＴＴＩとの対応関係を確定し、該ターゲット論理チャネルと該特定ＴＴＩとの対応関係に基づいて、該端末装置に該グラントリソースを配置するように構成される。
【０２３７】
選択可能に、該送受信機１２２０は該プロセッサ１２１０が該ターゲット論理チャネルと該特定ＴＴＩとの対応関係を確定した後、該第一の端末装置へ第二の対応関係情報を送信するように構成され、該第二の対応関係情報が、該第一の端末装置が該ターゲット論理チャネルと該特定ＴＴＩとの対応関係を確定することに用いられる。
【０２３８】
選択可能に、該第二の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【０２３９】
選択可能に、該送受信機１２２０は該第一の端末装置から送信された第三の対応関係情報を受信するように構成され、該プロセッサ１２１０は該第三の対応関係情報に基づき、該ターゲット論理チャネルと該特定ＴＴＩとの対応関係を確定するように構成される。
【０２４０】
選択可能に、該第三の対応関係情報は、少なくとも一つの論理チャネルグループと該特定ＴＴＩとの対応関係を含み、該少なくとも一つの論理チャネルグループ内の各論理チャネルグループが複数の論理チャネルを含む。
【０２４１】
選択可能に、該特定ＴＴＩの長さが１ｍｓ未満である。
【０２４２】
理解すべきものとして、本出願の実施例によるネットワーク装置１２００は本出願の実施例におけるネットワーク装置８００に対応してもよく、本出願の実施例による方法３００を実行するための該当する本体に対応してもよく、ネットワーク装置１２００における各ユニットの上記と他の操作及び／又は機能はそれぞれ図５−図６の各方法におけるネットワーク装置の対応するプロセスを実現するためのものであり、簡潔するために、ここでは説明を省略する。
【０２４３】
したがって、本出願の実施例のネットワーク装置では、端末装置へグラントリソースを送信し、対応関係情報によって該グラントリソースと特定ＴＴＩとの対応関係を示すことができ、これにより、該第一の端末装置は、該グラントリソースを用いて他の端末装置と該特定ＴＴＩに対応するターゲット論理チャネルに搬送されるデータを伝送することができ、それによって特定ＴＴＩを有するいくつかのサービスデータの伝送を実現し、さらに伝送遅延を減らすことができる。
【０２４４】
注意すべきものとして、本出願の上記方法の実施例はプロセッサに応用されてもよく、又はプロセッサによって実現されてもよい。プロセッサは信号処理機能を有する集積回路チップである可能性がある。実施プロセスでは、上記方法の実施例における各ステップは、プロセッサ内のハードウェアの集積論理回路又はソフトウェアの形の命令によって完成されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本出願の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本出願の実施例と組み合わせて開示された方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完了する。
【０２４５】
本出願の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０２４６】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０２４７】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０２４８】
本出願が提供する、いくつかの実施例では、開示されるシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２４９】
分離部材として説明された前記ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０２５０】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２５１】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２５２】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【図１】
2020533825.tif 000003
【図２】
2020533825.tif 000004
【図３】
2020533825.tif 000005
【図４】
2020533825.tif 000006
【図５】
2020533825.tif 000007
【図６】
2020533825.tif 000008
【図７】
2020533825.tif 000009
【図８】
2020533825.tif 000010
【図９】
2020533825.tif 000011
【図１０】
2020533825.tif 000012
【図１１】
2020533825.tif 000013
【図１２】
2020533825.tif 000014
【図１３】
2020533825.tif 000015
【図１４】
2020533825.tif 000016
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
リソーススケジューリング方法であって、
第一の端末装置が、ネットワーク装置から送信された指示情報とリソースグラント情報を受信し、前記リソースグラント情報が、前記ネットワーク装置によって前記第一の端末装置に割り当てられたグラントリソースを示すことに用いられ、前記指示情報が、前記グラントリソースが前記ターゲット論理チャネルに搬送されるデータの送信に用いられることを示すことに用いられることと、
前記第一の端末装置が、前記指示情報と前記リソースグラント情報に基づき、前記グラントリソースを用いて第二の端末装置へ、前記ターゲット論理チャネルに搬送されるデータを送信することとを含む、前記ソーススケジューリング方法。
【請求項２】
前記指示情報は、前記グラントリソースが異なる論理チャネルに対応する同じデータベアラを送信することに用いられることを示し、前記グラントリソースは第一のグラントリソースと第二のグラントリソースを含み、前記ターゲット論理チャネルは第一の論理チャネルと第二の論理チャネルを含み、
前記第一の端末装置が、前記指示情報と前記リソースグラント情報に基づき、前記グラントリソースを用いて前記第二の端末装置へ、前記ターゲット論理チャネルに搬送されるデータを送信することは、
前記第一の端末装置が、前記第一のグラントリソースを用いて前記第二の端末装置へ前記第一の論理チャネルに搬送される第一のデータを送信することと、
前記第一の端末装置が、前記第二のグラントリソースを用いて前記第二の端末装置へ前記第二の論理チャネルに搬送される第二のデータを送信し、前記第一の論理チャネルと前記第二の論理チャネルが同じデータベアラに対応することとを含むことを特徴とする
請求項１に記載の方法。
【請求項３】
前記第一の端末装置が前記指示情報と前記リソースグラント情報に基づき、前記グラントリソースを用いて前記第二の端末装置へ、前記ターゲット論理チャネルに搬送されるデータを送信する前に、前記方法はさらに、
前記第一の端末装置が、前記第一のグラントリソースと前記第一の論理チャネルベアラとの第一の対応関係、及び前記第二のグラントリソースと前記第二の論理チャネルベアラとの第二の対応関係を確定することを含むことを特徴とする
請求項２に記載の方法。
【請求項４】
前記端末装置が前記第一の対応関係と前記第二の対応関係を確定することは、
前記第一の端末装置が、前記ネットワーク装置から送信された第四の対応関係情報を受信することと、
前記第一の端末装置が、前記第四の対応関係情報に基づき、前記第一の対応関係と前記第二の対応関係を確定することとを含むことを特徴とする
請求項３に記載の方法。
【請求項５】
リソーススケジューリング方法であって、
ネットワーク装置が、第一の端末装置にグラントリソースを配置し、前記グラントリソースが、前記第一の端末装置が第二の端末装置へデータを送信することに用いられることと、
前記ネットワーク装置が前記第一の端末装置へリソースグラント情報と指示情報を送信し、前記リソースグラント情報が前記グラントリソースを示すことに用いられ、前記指示情報が、前記グラントリソースがターゲット論理チャネルに搬送されるデータの送信に用いられることを示すことに用いられることとを含む、前記リソーススケジューリング方法。
【請求項６】
前記指示情報は、前記グラントリソースが異なる論理チャネルに対応する同じデータベアラを送信することに用いられることを示し、前記グラントリソースは第一のグラントリソースと第二のグラントリソースを含み、前記ターゲット論理チャネルは第一の論理チャネルと第二の論理チャネルを含み、
前記第一のグラントリソースが、前記第一の端末装置が前記第二の端末装置へ前記第一の論理チャネルに搬送される第一のデータを送信することに用いられ、前記第二のグラントリソースが、前記第一の端末装置が前記第二の端末装置へ前記第二の論理チャネルに搬送される第二のデータを送信することに用いられ、前記第一の論理チャネルと前記第二の論理チャネルが同じデータベアラに対応することを特徴とする
請求項５に記載の方法。
【請求項７】
前記方法はさらに、
前記ネットワーク装置が、前記第一の端末装置へ第四の対応関係情報を送信し、前記第四の対応関係情報が、前記第一の論理チャネルと前記第一のグラントリソースとの対応関係及び前記第二の論理チャネルと前記第二のグラントリソースとの対応関係を含むことを含むことを特徴とする
請求項６に記載の方法。
【請求項８】
端末装置であって、
ネットワーク装置から送信された指示情報とリソースグラント情報を受信するように構成され、前記リソースグラント情報が、前記ネットワーク装置によって前記端末装置に割り当てられたグラントリソースを示すことに用いられ、前記指示情報が、前記グラントリソースがターゲット論理チャネルに搬送されるデータの送信に用いられることを示すことに用いられる受信ユニットと、
前記指示情報と前記リソースグラント情報に基づき、前記グラントリソースを用いて第二の端末装置へ、前記ターゲット論理チャネルに搬送されるデータを送信するように構成される送信ユニットとを備える、前記端末装置。
【請求項９】
前記指示情報は、前記グラントリソースが異なる論理チャネルに対応する同じデータベアラを送信することに用いられることを示し、前記グラントリソースは第一のグラントリソースと第二のグラントリソースを含み、前記ターゲット論理チャネルは第一の論理チャネルと第二の論理チャネルを含み、
前記送信ユニットは具体的に、
前記第一のグラントリソースを用いて前記第二の端末装置へ前記第一の論理チャネルに搬送される第一のデータを送信し、
前記第二のグラントリソースを用いて前記第二の端末装置へ前記第二の論理チャネルに搬送される第二のデータを送信するように構成され、前記第一の論理チャネルと前記第二の論理チャネルが同じデータベアラに対応することを特徴とする
請求項８に記載の端末装置。
【請求項１０】
前記端末装置はさらに、
前記送信ユニットが前記指示情報と前記リソースグラント情報に基づき、前記グラントリソースを用いて前記第二の端末装置へ、前記ターゲット論理チャネルに搬送されるデータを送信する前に、前記第一のグラントリソースと前記第一の論理チャネルベアラとの第一の対応関係、及び前記第二のグラントリソースと前記第二の論理チャネルベアラとの第二の対応関係を確定するように構成される確定ユニットを備えることを特徴とする
請求項９に記載の端末装置。
【請求項１１】
前記確定ユニットは具体的に、
前記第一の論理チャネルと第一の搬送波との対応関係、及び前記第二の論理チャネルと第二の搬送波との対応関係を確定するように構成され、
前記受信ユニットは具体的に、
前記ネットワーク装置から送信された第一の対応関係情報を受信するように構成され、
前記確定ユニットは具体的に、
前記第一の対応関係情報に基づき、前記第一の搬送波と前記第一のグラントリソースとの対応関係及び前記第二の搬送波と第二のグラントリソースとの対応関係を確定し、
前記第一の論理チャネルと前記第一の搬送波との対応関係及び前記第一の搬送波と前記第一のグラントリソースとの対応関係に基づいて、前記第一の対応関係を確定し、
前記第二の論理チャネルと前記第二の搬送波との対応関係及び前記第二の搬送波と前記第二のグラントリソースとの対応関係に基づいて、前記第二の対応関係を確定するように構成されることを特徴とする
請求項１０に記載の端末装置。
【請求項１２】
前記受信ユニットは具体的に、
前記ネットワーク装置から送信された第二の対応関係情報を受信するように構成され、
前記確定ユニットは具体的に、
前記第二の対応関係情報に基づき、前記第一の論理チャネルと前記第一の搬送波との対応関係、及び前記第二の論理チャネルと前記第二の搬送波との対応関係を確定するように構成されることを特徴とする
請求項１１に記載の端末装置。
【請求項１３】
前記第二の対応関係情報は第一の論理チャネルグループと前記第一の搬送波との対応関係を含み、前記第一の論理チャネルグループがｎ個の論理チャネルを含み、前記ｎ個の論理チャネルが前記第一の論理チャネルを含み且つ前記第二の論理チャネルを含まなく、ｎが１より大きい正整数であり、及び／又は、
前記第二の対応関係情報は第二の論理チャネルグループと前記第二の搬送波との対応関係を含み、前記第二の論理チャネルグループがｍ個の論理チャネルを含み、前記ｍ個の論理チャネルが前記第二の論理チャネルを含み且つ前記第一の論理チャネルを含まなく、ｍが１より大きい正整数であることを特徴とする
請求項１２に記載の端末装置。
【請求項１４】
前記送信ユニットは具体的に、
前記確定ユニットが前記第一の論理チャネルと第一の搬送波との対応関係、及び前記第二の論理チャネルと第二の搬送波との対応関係を確定した後、前記ネットワーク装置へ第三の対応関係情報を送信するように構成され、前記第三の対応関係情報が、前記ネットワーク装置が前記第一の論理チャネルと前記第一の搬送波との対応関係、及び前記第二の論理チャネルと前記第二の搬送波との対応関係を確定することに用いられ、
前記受信ユニットは具体的に、
前記ネットワーク装置から送信された、前記第三の対応関係に基づいて確定された前記第一の対応関係情報を受信するように構成されることを特徴とする
請求項１１に記載の端末装置。
【請求項１５】
前記第三の対応関係情報は第三の論理チャネルグループと前記第一の搬送波との対応関係を含み、前記第三の論理チャネルグループがｋ個の論理チャネルを含み、前記ｋ個の論理チャネルが前記第一の論理チャネルを含み且つ前記第二の論理チャネルを含まなく、ｋが１より大きい正整数であり、及び／又は、
前記第三の対応関係情報は第四の論理チャネルグループと前記第二の搬送波との対応関係を含み、前記第四の論理チャネルグループがＩ個の論理チャネルを含み、前記Ｉ個の論理チャネルが前記第二の論理チャネルを含み且つ前記第一の論理チャネルを含まなく、Ｉが１より大きい正整数であることを特徴とする
請求項１４に記載の端末装置。
【請求項１６】
ネットワーク装置であって、
第一の端末装置にグラントリソースを配置するように構成され、前記グラントリソースが、前記第一の端末装置が第二の端末装置へデータを送信することに用いられる処理ユニットと、
前記第一の端末装置へリソースグラント情報と指示情報を送信するように構成され、前記リソースグラント情報が前記グラントリソースを示すことに用いられ、前記指示情報が、前記グラントリソースがターゲット論理チャネルに搬送されるデータの送信に用いられることを示すことに用いられる送信ユニットとを備える、前記ネットワーク装置。
【請求項１７】
前記指示情報は、前記グラントリソースが異なる論理チャネルに対応する同じデータベアラを送信することに用いられることを示し、前記グラントリソースは第一のグラントリソースと第二のグラントリソースを含み、前記ターゲット論理チャネルは第一の論理チャネルと第二の論理チャネルを含み、
前記第一のグラントリソースが、前記第一の端末装置が前記第二の端末装置へ前記第一の論理チャネルに搬送される第一のデータを送信することに用いられ、前記第二のグラントリソースが、前記第一の端末装置が前記第二の端末装置へ前記第二の論理チャネルに搬送される第二のデータを送信することに用いられ、前記第一の論理チャネルと前記第二の論理チャネルが同じデータベアラに対応することを特徴とする
請求項１６に記載のネットワーク装置。
【請求項１８】
前記処理ユニットは具体的に、
前記第一の端末装置の前記第一の論理チャネルと第一の搬送波との対応関係、及び前記第二の論理チャネルと第二の搬送波との対応関係を確定し、
前記第一の論理チャネルと前記第一の搬送波との対応関係、及び前記第二の論理チャネルと前記第二の搬送波との対応関係に基づいて、前記第一の搬送波と前記第一のグラントリソースとの対応関係及び前記第二の搬送波と第二のグラントリソースとの対応関係を確定するように構成され、
前記送信ユニットは具体的に、
前記第一の端末装置へ第一の対応関係情報を送信するように構成され、第一の対応関係情報が、前記第一の端末装置が前記第一の搬送波と前記第一のグラントリソースとの対応関係及び前記第二の搬送波と第二のグラントリソースとの対応関係を確定することに用いられることを特徴とする
請求項１７に記載のネットワーク装置。
【請求項１９】
前記送信ユニットは具体的に、
前記処理ユニットが前記第一の論理チャネルと前記第一の搬送波との対応関係、及び前記第二の論理チャネルと前記第二の搬送波との対応関係を確定した後、前記第一の端末装置へ第二の対応関係情報を送信するように構成され、前記第二の対応関係情報が、前記第一の端末装置が前記第一の論理チャネルと前記第一の搬送波との対応関係、及び前記第二の論理チャネルと前記第二の搬送波との対応関係を確定することに用いられることを特徴とする
請求項１８に記載のネットワーク装置。
【請求項２０】
前記第二の対応関係情報は第一の論理チャネルグループと前記第一の搬送波との対応関係を含み、前記第一の論理チャネルグループがｎ個の論理チャネルを含み、前記ｎ個の論理チャネルが第一の論理チャネルを含み且つ前記第二の論理チャネルを含まなく、ｎが１より大きい正整数であり、及び／又は、
前記第二の対応関係情報は第二の論理チャネルグループと前記第二の搬送波との対応関係を含み、前記第二の論理チャネルグループがｍ個の論理チャネルを含み、前記ｍ個の論理チャネルが第二の論理チャネルを含み且つ第一の論理チャネルを含まなく、ｍが１より大きい正整数であることを特徴とする
請求項１９に記載のネットワーク装置。
【請求項２１】
前記ネットワーク装置はさらに、
前記第一の端末装置から送信された第三の対応関係情報を受信するように構成される受信ユニットを備え、
前記処理ユニットは具体的に、
前記第三の対応関係情報に基づき、前記第一の論理チャネルと前記第一の搬送波との対応関係、及び前記第二の論理チャネルと前記第二の搬送波との対応関係を確定するように構成されることを特徴とする
請求項１８に記載のネットワーク装置。
【請求項２２】
前記第三の対応関係情報は第三の論理チャネルグループと前記第一の搬送波との対応関係を含み、前記第三の論理チャネルグループがｋ個の論理チャネルを含み、前記ｋ個の論理チャネルが第一の論理チャネルを含み且つ前記第二の論理チャネルを含まなく、ｋが１より大きい正整数であり、及び／又は、
前記第三の対応関係情報は第四の論理チャネルグループと前記第二の搬送波との対応関係を含み、前記第四の論理チャネルグループがＩ個の論理チャネルを含み、前記Ｉ個の論理チャネルが第二の論理チャネルを含み且つ第一の論理チャネルを含まなく、Ｉが１より大きい正整数であることを特徴とする
請求項２１に記載のネットワーク装置。
【国際調査報告】
2020533825.tif 000017
2020533825.tif 000018
2020533825.tif 000019
2020533825.tif 000020